(57)【要約】【課題】ビデオコンテンツのフィルムショットにおける異なるオブジェクトの描写の偏差を通知する。【解決手段】第１のビデオコンテンツを記憶するメモリを含むとともに、第１のビデオコンテンツの第１のフィルムショットの第１の画像フレームと、第１のビデオコンテンツの第２のフィルムショットの第２の画像フレームとを抽出する回路を含む。第１の画像フレームは、第１のフィルムショットの最後のフレームであり、第２の画像フレームは、第２のフィルムショットの最初のフレームである。回路は、抽出された第１の画像フレームから第１のオブジェクトの組を検出し、抽出された第２の画像フレームから第２のオブジェクトの組を検出する。回路は、第１の画像フレーム内の第１のオブジェクトの少なくとも１つの第１の視覚属性と、第２の画像フレーム内の第１のオブジェクトの少なくとも１つの第２の視覚属性との間の偏差に基づいて、第１のオブジェクトに関連する通知情報をさらに生成して出力する。【選択図】図１
2020088852.tif 000002
【特許請求の範囲】
【請求項１】
ビデオ編集装置であって、
フィルムシーケンスの一連のフィルムシーンを含む第１のビデオコンテンツを記憶するように構成されたメモリと、
回路と、
を備え、前記一連のフィルムシーンの各々は、複数のフィルムショットを含み、該複数のフィルムショットの各々は、一連の画像フレームを含み、前記回路は、
前記複数のフィルムショットのうちの第１のフィルムショットの第１の画像フレームと、前記複数のフィルムショットのうちの第２のフィルムショットの第２の画像フレームとを抽出し、
前記抽出された第１の画像フレームから第１のオブジェクトの組を検出して、前記抽出された第２の画像フレームから第２のオブジェクトの組を検出し、
前記第１のオブジェクトの組及び前記第２のオブジェクトの組の各々から、同じオブジェクトタイプに基づく第１のオブジェクトを識別し、
前記第１の画像フレーム内の前記第１のオブジェクトの少なくとも１つの第１の視覚属性と、前記第２の画像フレーム内の前記第１のオブジェクトの、前記第１の視覚属性と同じタイプの少なくとも１つの第２の視覚属性との間の偏差に基づいて、前記第１のオブジェクトに関連する通知情報を生成し、
前記第１の画像フレーム及び前記第２の画像フレーム内の前記第１のオブジェクトに関連する前記生成された通知情報を出力するようにディスプレイ画面を制御する、
ように構成される、
ことを特徴とするビデオ編集装置。
【請求項２】
前記第１のフィルムショット及び前記第２のフィルムショットは、前記第１のビデオコンテンツの前記一連のフィルムシーンのうちの第１のフィルムシーンの連続ショットであり、
前記第１の画像フレームは、前記第１のフィルムショットの前記一連の画像フレームの中の最後のフレームであり、前記第２の画像フレームは、前記第２のフィルムショットの前記一連の画像フレームの中の最初のフレームである、
請求項１に記載のビデオ編集装置。
【請求項３】
前記第１のフィルムショット及び前記第２のフィルムショットは、前記第１のビデオコンテンツの前記一連のフィルムシーンのうちの前記第１のフィルムシーンに対応する、
請求項１に記載のビデオ編集装置。
【請求項４】
前記第１のフィルムショット及び前記第２のフィルムショットは、前記第１のビデオコンテンツの前記一連のフィルムシーンのうちの、同じ状況に対応し得る異なるフィルムシーンに対応する、
請求項１に記載のビデオ編集装置。
【請求項５】
前記少なくとも１つの第１の視覚属性及び前記少なくとも１つの第２の視覚属性は、前記第１のオブジェクトの形状、サイズ、寸法、色、輝度値、コントラスト値、起伏、配向、傾斜角、姿勢、又は文字情報のうちの少なくとも１つを含む、
請求項１に記載のビデオ編集装置。
【請求項６】
前記第１のフィルムショットは、第１の角度情報を含み、前記第２のフィルムショットは、第２の角度情報を含み、
前記第１の角度情報は、前記第１のフィルムショットが取り込まれた第１の角度を示し、前記第２の角度情報は、前記第２のフィルムショットが取り込まれた第２の角度を示す、
請求項１に記載のビデオ編集装置。
【請求項７】
前記回路は、
前記第１の角度情報に基づいて、前記第１のフィルムショットの前記抽出された第１の画像フレーム内の前記第１のオブジェクトの第１の３次元（３Ｄ）画像を生成し、
前記第２の角度情報に基づいて、前記第２のフィルムショットの前記抽出された第２の画像フレーム内の前記第１のオブジェクトの第２の３Ｄ画像を生成し、
前記決定された第１の３Ｄ画像と前記決定された第２の３Ｄ画像との差分に基づいて前記通知情報を生成する、
ようにさらに構成される、請求項６に記載のビデオ編集装置。
【請求項８】
前記第１のビデオコンテンツは、前記第１のビデオコンテンツに関連する時代を示す第１のタイムライン情報を含む、
請求項１に記載のビデオ編集装置。
【請求項９】
前記回路は、
前記抽出された第１の画像フレーム内の前記第１のオブジェクトの前記オブジェクトタイプと、サーバ上のマスターデータベース内の複数のオブジェクトのオブジェクトタイプとに基づいて、前記第１のオブジェクトを前記マスターデータベース内の前記複数のオブジェクトと比較し、
前記比較に基づいて、前記マスターデータベース内の前記複数のオブジェクトのうちの１つのオブジェクトに関連する、該オブジェクトの発明、発見、使用、市場公開又は進化のタイミング情報を示す第２のタイムライン情報を検索し、
前記第１のタイムライン情報と前記検索された第２のタイムライン情報とを比較し、
前記第１のタイムライン情報と前記検索された第２のタイムライン情報との前記比較に基づいて、前記第１のオブジェクトに関連する前記通知情報を生成する、
ようにさらに構成される、請求項８に記載のビデオ編集装置。
【請求項１０】
前記通知情報は、前記抽出された第２の画像フレーム内の前記第１のオブジェクトの描写の制作エラーを示す第１のエラーメッセージを含む、
請求項１に記載のビデオ編集装置。
【請求項１１】
前記回路は、
前記第１の画像フレーム内の前記第１のオブジェクトの第１の位置と、前記第２の画像フレーム内の前記第１のオブジェクトの第２の位置とを特定し、
前記第１のオブジェクトを含む第１のフィルムシーンの状況に基づく、前記第１の位置と前記第２の位置との間の位置偏差に基づいて、前記通知情報を生成する、
ようにさらに構成される、請求項１に記載のビデオ編集装置。
【請求項１２】
前記回路は、
前記検出された第１のオブジェクトの組における前記第１のオブジェクトが、前記抽出された第２の画像フレームの前記検出された第２のオブジェクトの組に存在しないかどうかを判定し、
前記抽出された第２の画像フレームの前記検出された第２のオブジェクトの組に前記第１のオブジェクトが存在しないとの判定に基づいて、前記通知情報を第２のエラーメッセージとして生成する、
ようにさらに構成される、請求項１に記載のビデオ編集装置。
【請求項１３】
前記通知情報は、前記第１のオブジェクトに関連する前記オブジェクトタイプ、前記第１のフィルムショットの識別情報、又は前記第１のオブジェクトを含む第１のフィルムシーンの識別子のうちの少なくとも１つを含み、前記回路は、前記通知情報をメタデータとして前記第１のビデオコンテンツに追加するように構成される、
請求項１に記載のビデオ編集装置。
【請求項１４】
前記回路は、
前記検出された第１のオブジェクトの組及び前記第２のオブジェクトの組に関連する第１のメタデータを決定する、
ようにさらに構成され、前記第１のメタデータは、前記複数のフィルムショットの各々が取り込まれた地理位置情報、アーティスト情報、又は前記検出された第１のオブジェクトの組に関する情報、及び前記検出された第２のオブジェクトの組を示す情報を含む、
請求項１に記載のビデオ編集装置。
【請求項１５】
前記回路は、
サーバから第２のビデオコンテンツに関する複数のフィルムショットに関連する第２のメタデータを検索し、
前記第１のビデオコンテンツの前記第１のメタデータと前記第２のビデオコンテンツの前記第２のメタデータとを比較し、
前記比較に基づいて、前記第１のビデオコンテンツのフィルムシーン又はフィルムショットの前記第２のビデオコンテンツにおける複製を示す第３のエラーメッセージを含む前記通知情報を生成する、
ようにさらに構成される、請求項１４に記載のビデオ編集装置。
【請求項１６】
ビデオ編集装置において、
それぞれが一連の画像フレームを含む複数のフィルムショットをそれぞれが含むフィルムシーケンスの一連のフィルムシーンを含む第１のビデオコンテンツを記憶するステップと、
前記複数のフィルムショットのうちの第１のフィルムショットの第１の画像フレームと、前記複数のフィルムショットのうちの第２のフィルムショットの第２の画像フレームとを抽出するステップと、
前記抽出された第１の画像フレームから第１のオブジェクトの組を検出して、前記抽出された第２の画像フレームから第２のオブジェクトの組を検出するステップと、
前記第１のオブジェクトの組及び前記第２のオブジェクトの組の各々から、同じオブジェクトタイプに基づく第１のオブジェクトを識別するステップと、
前記第１の画像フレーム内の前記第１のオブジェクトの少なくとも１つの第１の視覚属性と、前記第２の画像フレーム内の前記第１のオブジェクトの、前記第１の視覚属性と同じタイプの少なくとも１つの第２の視覚属性との間の偏差に基づいて、前記第１のオブジェクトに関連する通知情報を生成するステップと、
前記第１の画像フレーム及び前記第２の画像フレーム内の前記第１のオブジェクトに関連する前記生成された通知情報を出力するようにディスプレイ画面を制御するステップと、
を含むことを特徴とする方法。
【請求項１７】
前記第１のフィルムショット及び前記第２のフィルムショットは、前記第１のビデオコンテンツの前記一連のフィルムシーンのうちの第１のフィルムシーンの連続ショットであり、
前記第１の画像フレームは、前記第１のフィルムショットの前記一連の画像フレームの中の最後のフレームであり、前記第２の画像フレームは、前記第２のフィルムショットの前記一連の画像フレームの中の最初のフレームである、
請求項１６に記載の方法。
【請求項１８】
前記第１のフィルムショット及び前記第２のフィルムショットは、前記第１のビデオコンテンツの前記一連のフィルムシーンのうちの前記第１のフィルムシーンに対応する、
請求項１６に記載の方法。
【請求項１９】
前記第１のフィルムショット及び前記第２のフィルムショットは、前記第１のビデオコンテンツの前記一連のフィルムシーンのうちの、同じ状況に対応し得る異なるフィルムシーンに対応する、
請求項１６に記載の方法。
【請求項２０】
前記少なくとも１つの第１の視覚属性及び前記少なくとも１つの第２の視覚属性は、前記第１のオブジェクトの形状、サイズ、寸法、色、輝度値、コントラスト値、起伏、配向、傾斜角、姿勢、又は文字情報のうちの少なくとも１つを含む、
請求項１６に記載の方法。
【発明の詳細な説明】
【技術分野】
【０００１】
本開示の様々な実施形態は、ビデオ編集技術に関する。具体的には、本開示の様々な実施形態は、ビデオコンテンツのフィルムショットにおける異なるオブジェクトの描写の偏差を通知するビデオ編集装置、方法及びソフトウェアに関する。
【背景技術】
【０００２】
最近のビデオ編集分野の進歩は、ビデオコンテンツのノンリニア編集（ＮＬＥ）を容易にする様々な技術の発展をもたらした。従来、ビデオコンテンツは、１又は２以上の画像取り込み装置によって、異なる時点及び／又は制作場所において数多くの制作状態で取り込むことができる。ビデオコンテンツ（例えば、撮影後の映画コンテンツ）は複数のシーンを含み、これらの複数のシーンの各々は数多くの連続ショットを含む。通常、シーンの連続ショットは、連続して又は一定期間後に（例えば、特定の時間又は日数後に）取り込むことができる。編集者は、様々な従来の技術を利用して、取り込みショットに対して様々な編集機能を実行してシーン又はビデオコンテンツを生成することができる。編集者は、１又は２以上のシーンの複数のショット内に存在する様々なオブジェクト（例えば、人間又は非生物的存在）の描写に関連する連続性エラーを手動で分析することが必要になり得る。１又は２以上のシーンの複数のショット間における様々なオブジェクトの描写の不連続性を回避し、又は異常を防ぐには、連続性エラーの識別が必要となり得る。手動分析では、オブジェクトの描写における連続性エラーの識別が不正確になる。これにより、全体的なビデオコンテンツの品質、及びビデオコンテンツの視聴者間における編集者の信頼性がさらに低下する恐れがある。
【発明の概要】
【発明が解決しようとする課題】
【０００３】
当業者には、説明したシステムと、本出願の残り部分において図面を参照しながら示す本開示のいくつかの態様とを比較することにより、従来の慣習的方法のさらなる制限及び不利点が明らかになるであろう。
【課題を解決するための手段】
【０００４】
少なくとも１つの図に実質的に示し、及び／又はこれらの図に関連して説明し、特許請求の範囲にさらに完全に示すような、ビデオコンテンツのフィルムショットにおける異なるオブジェクトの描写の偏差通知を制御するビデオ編集装置及び方法を提供する。
【０００５】
全体を通じて同じ要素を同じ参照符号によって示す添付図面を参照しながら本開示の以下の詳細な説明を検討することにより、本開示のこれらの及びその他の特徴及び利点を理解することができる。
【図面の簡単な説明】
【０００６】
【図１】本開示の実施形態による、ビデオコンテンツのフィルムショットにおける異なるオブジェクトの描写の偏差通知制御のための例示的な環境を示す図である。
【図２】本開示の実施形態による、ビデオコンテンツのフィルムショットにおける異なるオブジェクトの描写の偏差通知制御のための例示的なビデオ編集装置を示すブロック図である。
【図３】本開示の実施形態による、図２のビデオ編集装置によるビデオコンテンツのフィルムショットにおける異なるオブジェクトの描写の偏差通知制御のための第１の例示的なシナリオを示す図である。
【図４Ａ】本開示の実施形態による、図２のビデオ編集装置によるビデオコンテンツのフィルムショットにおける異なるオブジェクトの描写の偏差通知を表示するユーザインターフェイスを示す図である。
【図４Ｂ】本開示の実施形態による、図２のビデオ編集装置によるビデオコンテンツのフィルムショットにおける異なるオブジェクトの描写の偏差通知を表示するユーザインターフェイスを示す図である。
【図５】本開示の実施形態による、図２のビデオ編集装置によるビデオコンテンツのフィルムショットにおける異なるオブジェクトの描写の偏差通知制御のための第２の例示的なシナリオを示す図である。
【図６】本開示の実施形態による、図２のビデオ編集装置によるビデオコンテンツのフィルムショットにおける異なるオブジェクトの描写における事実誤認通知制御のための第３の例示的なシナリオを示す図である。
【図７】本開示の実施形態による、図２のビデオ編集装置によるビデオコンテンツのフィルムショットにおける異なるオブジェクトの描写における重複通知制御のための第４の例示的なシナリオを示す図である。
【図８Ａ】本開示の実施形態による、ビデオコンテンツのフィルムショットにおける異なるオブジェクトの描写の偏差通知制御のための例示的な動作を示すフローチャートである。
【図８Ｂ】本開示の実施形態による、ビデオコンテンツのフィルムショットにおける異なるオブジェクトの描写の偏差通知制御のための例示的な動作を示すフローチャートである。
【発明を実施するための形態】
【０００７】
開示するビデオコンテンツのフィルムショットにおける異なるオブジェクトの描写の偏差通知を制御する装置及び方法では、後述する実装を見出すことができる。本開示の例示的な態様は、ビデオコンテンツ内のシーンの複数のフィルムショット間の異なるオブジェクトの連続性を自動的にチェックするビデオ編集装置を提供する。ビデオ編集装置による自動連続性チェックは、複数のフィルムショット間における一貫性を保証する。ビデオ編集装置は、この自動連続性チェックに基づいて、複数のフィルムショット間に存在する異なるオブジェクトの描写の偏差に関する１又は２以上の通知をビデオコンテンツの編集者に提供する。このような通知は、ビデオコンテンツの制作中及び制作後段階におけるビデオコンテンツの全体的な品質を編集者が改善するのをさらに支援することができる。
【０００８】
本発明のビデオ編集装置は、フィルムシーケンスの一連のフィルムシーンを含むことができるビデオコンテンツ（例えば、映画）を記憶するように構成されたメモリを含むことができる。一連のフィルムシーンは、複数のフィルムショットを含むことができる。フィルムシーンの複数のフィルムショットは、ビデオ取り込み装置によって連続して又は一定の期間後（例えば、一定の時間又は日数後）に取り込まれた連続ショットとすることができる。フィルムシーンの複数のフィルムショットは、複数のフィルムショットに共通し得る複数のオブジェクトを含むことができる。複数のオブジェクトは、様々な生物（例えば、人間）及び非生物オブジェクトとすることができる。開示するビデオ編集装置は、複数のオブジェクトをフィルムショット間で比較して、複数のオブジェクトがフィルムショット内で同様の視覚属性で描写されているかどうかを判定することができる。開示するビデオ編集装置は、視覚属性を正確に比較できるように複数のオブジェクトの３次元（３Ｄ）画像を生成することができる。複数のオブジェクトに関連する視覚属性の例としては、以下に限定するわけではないが、形状、サイズ、寸法、色、輝度値、コントラスト値、起伏、配向、傾斜角、姿勢、又は文字情報を挙げることができる。ビデオ編集装置は、比較に基づいて、フィルムショット間における複数のオブジェクトの偏差をさらに特定することができる。このビデオ編集装置は、特定された偏差に基づいて、フィルムショット間における複数のオブジェクトの連続性を自動的にチェックすることができる。ビデオ編集装置は、フィルムショット間における様々な連続性エラーに関する通知をビデオコンテンツの編集者にさらに提供することができる。ビデオ編集装置は、取り込みビデオコンテンツのタイムライン、及び複数のオブジェクトのそれぞれの記憶されたタイムラインに基づいて、フィルムショット内の事実誤認を特定し、特定した事実誤認に基づいて編集者に通知を提供することもできる。ビデオ編集装置は、ビデオコンテンツ内の複数のオブジェクトと、データベースに記憶されている別のビデオコンテンツ内に存在する同様のオブジェクトとの比較に基づいて、編集者に通知を提供することもできる。編集者は、このようなビデオ編集装置からの自動通知に基づいて、複数のオブジェクトの連続性を維持して検出された事実誤認を低減するために、フィルムショットを撮り直すべきであるか、それとも異なる画像処理法を適用すべきであるかについての適切な判断を行うことができる。これにより、編集段階後に最終的に制作されるビデオコンテンツの全体的な品質が改善され、高品質なビデオコンテンツを少ない時間で制作するための編集者の全体的な信頼性がさらに高まる。
【０００９】
図１に、本開示の実施形態による、ビデオコンテンツのフィルムショットにおける異なるオブジェクトの描写の偏差通知制御のための例示的な環境を示す。図１には、ネットワーク環境１００を示す。ネットワーク環境１００は、ビデオ編集装置１０２と、データストレージシステム１０２Ａと、ディスプレイ画面１０４と、サーバ１０６と、通信ネットワーク１０８とを含むことができる。ビデオ編集装置１０２は、通信ネットワーク１０８を介してサーバ１０６に通信可能に結合することができる。さらに、ビデオ編集装置１０２に関連するユーザ１１０も示す。
【００１０】
図１には、フィルムシーンの組１１４Ａ〜１１４Ｂを含むことができる第１のビデオコンテンツ１１２をさらに示す。フィルムシーンの組１１４Ａ〜１１４Ｂは、第１のフィルムシーン１１４Ａ及び第２のフィルムシーン１１４Ｂを含むことができる。第１のフィルムシーン１１４Ａは、複数のフィルムショット１１６Ａ〜１１６Ｃを含むことができる。同様に、第２のフィルムシーン１１４Ｂは、別の複数のフィルムショット１１６Ｄ〜１１６Ｆを含むことができる。第１のフィルムショット１１６Ａは、一連の画像フレーム１１８を含むことができ、第２のフィルムショット１１６Ｂは、一連の画像フレーム１２０を含むことができる。第１のフィルムショット１１６Ａの第１の画像フレーム１２２及び第２のフィルムショット１１６Ｂの第２の画像フレーム１２４をさらに示す。ある実施形態によれば、第１の画像フレーム１２２は、第１のフィルムショット１１６Ａの一連の画像フレーム１１８の最後のフレームとすることができ、第２の画像フレーム１２４は、第２のフィルムショット１１６Ｂの一連の画像フレーム１２０の最初のフレームとすることができる。
【００１１】
ビデオ編集装置１０２は、ユーザ１１０（例えば、編集者）からの編集要求を受け取り、受け取った編集要求に基づいて、データストレージシステム１０２Ａから第１のビデオコンテンツ１１２を検索するように構成できる好適なロジック、回路及びインターフェイスを含むことができる。ある実施形態によれば、ビデオ編集装置１０２は、第１の画像フレーム１２２内の第１のオブジェクトの組（図示せず）を検出し、第２の画像フレーム１２４内の第２のオブジェクトの組（図示せず）を検出するように構成することができる。ビデオ編集装置１０２は、検出された第１のオブジェクトの組の第１のオブジェクトが、第２の画像フレーム１２４内の検出された第２のオブジェクトの組に存在しないかどうかをチェックするようにさらに構成することができる。いくつかの実施形態では、ビデオ編集装置１０２を、第１の画像フレーム１２２内の第１のオブジェクトの第１の視覚属性の、第２の画像フレーム１２４内の第１のオブジェクトの第２の視覚属性からの偏差を特定するように構成することができる。ある実施形態によれば、ビデオ編集装置１０２は、特定された偏差に基づいて、第１の画像フレーム１２２と第２の画像フレーム１２４との間における第１のオブジェクトの連続性又は不連続性を決定するようにさらに構成することができる。いくつかの実施形態では、ビデオ編集装置１０２を、第１の画像フレーム１２２の第１のオブジェクトが第２の画像フレーム１２４に存在しないとの判定に基づいて、第１のオブジェクトの連続性又は不連続性を決定するように構成することができる。ある実施形態によれば、ビデオ編集装置１０２は、フィルムシーンの組１１４Ａ〜１１４Ｂの少なくとも１つの画像フレーム内の検出された第１のオブジェクトの組のうちの少なくとも１つのオブジェクト、及び／又は検出された第２のオブジェクトの組のうちの少なくとも１つのオブジェクトの事実誤認を検出するように構成することができる。ビデオ編集装置１０２は、決定された不連続性又は事実誤認に基づいて、ユーザ１１０のための通知情報を出力するようにさらに構成することができる。ビデオ編集装置１０２の例としては、以下に限定するわけではないが、ノンリニア編集システム（ＮＬＥ）、ノンリニアビデオ編集システム（ＮＬＶＥ）、ビデオ編集システム、ビデオ編集コントローラ、メディア制作システム、コンピュータワークステーション、メインフレームコンピュータ、ハンドヘルドコンピュータ、セルラー／携帯電話機、スマート機器、ビデオプレーヤ、及び／又は画像処理能力を有するその他のコンピュータ装置を挙げることができる。
【００１２】
データストレージシステム１０２Ａは、フィルムシーンの組１１４Ａ〜１１４Ｂを含むことができる第１のビデオコンテンツ１１２を記憶するように構成できる好適なロジック、回路及びインターフェイスを含むことができる。ある実施形態によれば、データストレージシステム１０２Ａは、第１のビデオコンテンツ１１２に関連する時代を示す第１のタイムライン情報を記憶するように構成することができる。ある実施形態によれば、データストレージシステム１０２Ａは、複数のフィルムショット１１６Ａ〜１１６Ｆに関連するメタデータを記憶するように構成することができる。データストレージシステム１０２Ａは、ビデオ編集装置１０２が不連続性又は事実誤認を決定する対象である第１のオブジェクトに関連する通知情報を記憶するように構成することができる。ある実施形態によれば、データストレージシステム１０２Ａは、ビデオ編集装置１０２に統合されたメモリ（図示せず）又はデータベース（図示せず）とすることができる。
【００１３】
ディスプレイ画面１０４は、ユーザ１１０のための通知情報を表示するように構成できる好適なロジック、回路及びインターフェイスを含むことができる。ディスプレイ画面１０４は、通信チャネル（図示せず）を介してビデオ編集装置１０２に通信可能に結合することができる。ディスプレイ画面１０４は、以下に限定するわけではないが、液晶（ＬＣＤ）ディスプレイ、発光ダイオード（ＬＥＤ）ディスプレイ、プラズマディスプレイ、及び有機ＬＥＤ（ＯＬＥＤ）ディスプレイ技術及びその他のディスプレイなどの、複数の既知の技術によって実現することができる。ある実施形態によれば、ディスプレイ画面１０４は、スマートグラス装置のディスプレイ画面、シースルーディスプレイ、投影ベースのディスプレイ、電気クロムディスプレイ、及び透明ディスプレイを示すことができる。当業者であれば、本開示の範囲は、別個の存在としてのビデオ編集装置１０２及びディスプレイ画面１０４の実装に限定されるものではないと理解するであろう。ある実施形態によれば、本開示の範囲から逸脱することなく、ビデオ編集装置１０２がディスプレイ画面１０４の機能を実装することもできる。
【００１４】
サーバ１０６は、フィルムシーンの組１１４Ａ〜１１４Ｂを含むことができる第１のビデオコンテンツ１１２を記憶するように構成できる好適なロジック、回路及びインターフェイスを含むことができる。サーバ１０６は、第１のビデオコンテンツ１１２に関連する時代を示す第１のタイムライン情報を記憶するように構成することができる。ある実施形態によれば、サーバ１０６は、異なるオブジェクトタイプの異なるオブジェクトの第２のタイムライン情報を記憶するように構成することができる。第２のタイムライン情報は、異なるオブジェクトタイプの異なるオブジェクトの発明、発見、使用、市場公開又は進化のタイミング情報を示すことができる。ある実施形態によれば、サーバ１０６は、複数のフィルムショット１１６Ａ〜１１６Ｆに関連するメタデータを記憶するように構成することができる。複数のフィルムショット１１６Ａ〜１１６Ｆに関連するメタデータは、以下に限定するわけではないが、複数のフィルムショット１１６Ａ〜１１６Ｆの各々が取り込まれた地理位置情報、アーティスト情報、検出された第１のオブジェクトの組に関する情報、及び検出された第２のオブジェクトの組を示すことができる情報を含むことができる。ある実施形態によれば、サーバ１０６は、複数のフィルムショットと関連するメタデータとを含むことができる第２のビデオコンテンツを記憶するようにさらに構成することができる。
【００１５】
ある実施形態によれば、サーバ１０６は、ビデオ編集装置１０２から通信ネットワーク１０８を介してコンテンツ要求を受け取るように構成することができる。サーバ１０６は、受け取ったコンテンツ要求に基づいて、通信ネットワーク１０８を介して、記憶された第１のビデオコンテンツ１１２、第１のタイムライン情報、第２のタイムライン情報、メタデータ及び第２のビデオコンテンツをビデオ編集装置１０２に送信するように構成することができる。ある実施形態によれば、サーバ１０６は、ウェブアプリケーション、クラウドアプリケーション、ＨＴＴＰ要求、リポジトリ動作、ファイル転送及びゲーム動作などを通じて上述したビデオ編集装置１０２の動作を実行するために利用できるクラウドサーバとして実装することができる。サーバ１０６の他の例としては、以下に限定するわけではないが、データベースサーバ、ファイルサーバ、ウェブサーバ、アプリケーションサーバ、メインフレームサーバ、クラウドサーバ、又はその他のタイプのサーバを挙げることができる。
【００１６】
ある実施形態によれば、サーバ１０６は、ビデオ編集装置１０２の一部とすることができる。ある実施形態によれば、サーバ１０６は、当業者に周知の複数の技術を使用することによって複数のクラウドベースのリソースとして実装することができる。さらに、サーバ１０６は、単一の又は複数のサービスプロバイダに関連することができる。当業者であれば、本開示の範囲は、別個の存在としてのサーバ１０６及びビデオ編集装置１０２の実装に限定されるものではないと理解するであろう。ある実施形態によれば、本開示の範囲から逸脱することなく、ビデオ編集装置１０２がサーバ１０６の機能を実装することもできる。
【００１７】
通信ネットワーク１０８は、ビデオ編集装置１０２とサーバ１０６とが互いに通信できるようにする通信媒体を含むことができる。通信ネットワーク１０８は、有線又は無線通信ネットワークとすることができる。通信ネットワーク１０８の例としては、以下に限定するわけではないが、インターネット、クラウドネットワーク、ワイヤレスフィデリティ（Ｗｉ−Ｆｉ）ネットワーク、パーソナルエリアネットワーク（ＰＡＮ）、ローカルエリアネットワーク（ＬＡＮ）、又はメトロポリタンエリアネットワーク（ＭＡＮ）を挙げることができる。ネットワーク環境１００内の様々な装置は、様々な有線及び無線通信プロトコルに従って通信ネットワーク１０８に接続するように構成することができる。このような有線及び無線通信プロトコルの例としては、以下に限定するわけではないが、伝送制御プロトコル及びインターネットプロトコル（ＴＣＰ／ＩＰ）、ユーザデータグラムプロトコル（ＵＤＰ）、ハイパーテキスト転送プロトコル（ＨＴＴＰ）、ファイル転送プロトコル（ＦＴＰ）、Ｚｉｇ  Ｂｅｅ、ＥＤＧＥ、ＩＥＥＥ８０２．１１、ライトフィデリティ（Ｌｉ−Ｆｉ）、８０２．１６、ＩＥＥＥ８０２．１１ｓ、ＩＥＥＥ８０２．１１ｇ、マルチホップ通信、無線アクセスポイント（ＡＰ）、装置間通信、セルラー通信プロトコル、及びＢｌｕｅｔｏｏｔｈ（ＢＴ）通信プロトコルのうちの少なくとも１つを挙げることができる。
【００１８】
ビデオ編集装置１０２は、動作時にユーザ１１０から第１のユーザ入力を受け取るように構成することができる。第１のユーザ入力は、第１のビデオコンテンツ１１２に対して連続性チェックを実行する要求を含むことができる。第１のビデオコンテンツ１１２の例としては、以下に限定するわけではないが、映画コンテンツ、楽曲ビデオシーン、マルチメディアコンテンツ、アニメーションコンテンツ、対話型コンテンツ、及び／又はこれらの組み合わせを挙げることができる。第１のビデオコンテンツ１１２は、（図２に示す）ビデオ編集装置１０２のメモリに記憶することができる。ある実施形態によれば、第１のビデオコンテンツ１１２は、フィルムシーケンスのフィルムシーンの組１１４Ａ〜１１４Ｂを含むことができる。第１のフィルムシーン１１４Ａは、複数のフィルムショット１１６Ａ〜１１６Ｃを含むことができ、第２のフィルムシーン１１４Ｂは、別の複数のフィルムショット１１６Ｄ〜１１６Ｆを含むことができる。第１のフィルムシーン１１４Ａの複数のフィルムショット１１６Ａ〜１１６Ｃ、及び第２のフィルムシーン１１４Ｂの複数のフィルムショット１１６Ｄ〜１１６Ｆは、一定の継続時間（例えば、数秒又は数分）のものとすることができる。ある実施形態によれば、第１のフィルムショット１１６Ａは、一連の画像フレーム１１８を含むことができ、第２のフィルムショット１１６Ｂは、一連の画像フレーム１２０を含むことができる。ある実施形態によれば、第１のフィルムショット１１６Ａ及び第２のフィルムショット１１６Ｂの画像フレームの数は、第１のフィルムショット１１６Ａ及び第２のフィルムショット１１６Ｂの継続時間（又は時間長）に基づくことができる。いくつかの実施形態では、画像フレームの数が、第１のフィルムショット１１６Ａ及び第２のフィルムショット１１６Ｂのそれぞれの取り込み時点におけるビデオ取り込み装置の取り込み速度（又はフレームレート）に基づくことができる。ビデオ取り込み装置は、第１のフィルムショット１１６Ａ及び第２のフィルムショット１１６Ｂを一定期間にわたって連続して取り込むことができる。いくつかの実施形態では、ビデオ取り込み装置が、第１のフィルムショット１１６Ａ及び第２のフィルムショット１１６Ｂを不連続的に取り込むことができる（例えば、一定期間後、すなわち何時間か後、何日か後又は何週間か後に取り込むことができる）。
【００１９】
ある実施形態によれば、第１のフィルムショット１１６Ａ及び第２のフィルムショット１１６Ｂは、ショット識別情報（例えば、ショット識別番号）をさらに含むことができる。ある実施形態によれば、ビデオ編集装置１０２は、第１のフィルムショット１１６Ａ及び第２のフィルムショット１１６Ｂのそれぞれのショット識別情報に基づいて、第１のフィルムショット１１６Ａ及び第２のフィルムショット１１６Ｂを第１のフィルムシーン１１４の連続ショットとして決定するように構成することができる。いくつかの実施形態では、ビデオ編集装置１０２を、第１のフィルムショット１１６Ａ及び第２のフィルムショット１１６Ｂのそれぞれの取り込み中に使用されるカチンコ（ｃｌａｐｐｅｒ  ｂｏａｒｄ）情報に基づいて、第１のフィルムショット１１６Ａ及び第２のフィルムショット１１６Ｂを第１のフィルムシーン１１４の連続ショットとして決定するように構成することができる。カチンコ情報は、以下に限定するわけではないが、取り込み日時情報、シーン番号、テイク番号、ビデオコンテンツのタイトル、又はビデオコンテンツの監督名を含むことができる。いくつかの実施形態では、ビデオ編集装置１０２を、第１のビデオコンテンツ１１２に対する連続性チェックを開始するための第１のユーザ入力を受け取る前に、第１のフィルムショット１１６Ａ及び第２のフィルムショット１１６Ｂを連続ショットとして選択するための１又は２以上のユーザ入力をユーザ１１０から受け取るように構成することができる。いくつかの実施形態では、ビデオ編集装置１０２を、ビデオ編集装置１０２のディスプレイ画面１０４上に表示された編集タイムライン（図示せず）上に一連のフィルムシーンの複数のフィルムショットを配置するための１又は２以上のユーザ入力をユーザ１１０から受け取るように構成することができる。１又は２以上のユーザ入力は、この配置に基づいて第１のフィルムショット１１６Ａ及び第２のフィルムショット１１６Ｂを連続ショットとして選択することを含むことができる。ある実施形態によれば、ビデオ編集装置１０２は、ショット識別情報又は取り込みタイミング情報に基づいて、第１のフィルムショット１１６Ａ及び第２のフィルムショット１１６Ｂを自動的に配置して連続ショットとして選択するように構成することができる。
【００２０】
ある実施形態によれば、ビデオ編集装置１０２は、第１のフィルムショット１１６Ａの第１の画像フレーム１２２及び第２のフィルムショット１１６Ｂの第２の画像フレーム１２４を抽出するようにさらに構成することができる。ある実施形態によれば、第１の画像フレーム１２２は、第１のフィルムショット１１６Ａの一連の画像フレーム１１８の最後のフレームとすることができ、第２の画像フレーム１２４は、第２のフィルムショット１１６Ｂの一連の画像フレーム１２０の最初のフレームとすることができる。ビデオ編集装置１０２は、第１のフィルムショット１１６Ａの第１の画像フレーム１２２及び第２のフィルムショット１１６Ｂの第２の画像フレーム１２４に対して連続性チェックを実行することができる。
【００２１】
ある実施形態によれば、ビデオ編集装置１０２は、抽出された第１の画像フレーム１２２から（図３に示す）第１のオブジェクトの組を検出し、抽出された第２の画像フレーム１２４から（図３に示す）第２のオブジェクトの組を検出するように構成することができる。第１のオブジェクトの組及び第２のオブジェクトの組の例としては、以下に限定するわけではないが、人間、動物、植物、又はその他の非生物的存在を挙げることができる。
【００２２】
ある実施形態によれば、ビデオ編集装置１０２は、第１のオブジェクトの組及び第２のオブジェクトの組の各々から、同じオブジェクトタイプに基づく第１のオブジェクトを識別するようにさらに構成することができる。第１のオブジェクトの組の第１のオブジェクトのオブジェクトタイプと、第２のオブジェクトの組の第１のオブジェクトのオブジェクトタイプは同じものである。ビデオ編集装置１０２は、第１の画像フレーム１２２の第１のオブジェクトの第１の視覚属性と、第２の画像フレーム１２４の第１のオブジェクトの第２の視覚属性との間の偏差を特定するようにさらに構成することができる。第１の視覚属性及び第２の視覚属性は、同じタイプのものとすることができる。第１の視覚属性及び第２の視覚属性の例としては、以下に限定するわけではないが、形状、サイズ、寸法、色、輝度値、コントラスト値、起伏、配向、傾斜角、姿勢又は文字情報を挙げることができる。第１の画像フレーム１２２の第１のオブジェクトの第１の視覚属性と、第２の画像フレーム１２４の第１のオブジェクトの第２の視覚属性との間の偏差については、例えば図３で詳細に説明する。
【００２３】
ビデオ編集装置１０２は、偏差を特定して、第１の画像フレーム１２２及び第２の画像フレーム１２４の両方における第１のオブジェクトの連続性をチェックするように構成することができる。ある実施形態によれば、第１のオブジェクトの連続性は、第１のフィルムショット１１６Ａの第１の画像フレーム１２２と第２のフィルムショット１１６Ｂの第２の画像フレーム１２４の両方に同様の視覚属性の組を有する第１のオブジェクトが存在することに基づいて決定することができる。
【００２４】
ある実施形態によれば、ビデオ編集装置１０２は、特定された偏差に基づいて、第１のオブジェクトに関連する通知情報を生成するようにさらに構成することができる。ある実施形態によれば、ビデオ編集装置１０２は、第１の画像フレーム１２２及び第２の画像フレーム１２４の第１のオブジェクトに関連する生成された通知情報を出力するようにディスプレイ画面１０４を制御するようさらに構成することができる。出力される通知情報については、例えば図４Ａ及び図４Ｂで詳細に説明する。従って、ユーザ１１０（例えば、編集者）は、第１の画像フレーム１２２と第２の画像フレーム１２４との間における第１のオブジェクトの不連続性に関する通知情報により、第１のフィルムショット１１６Ａと第２のフィルムショット１１６Ｂとの間における第１のオブジェクトの連続性を維持するために、第１のフィルムショット１１６Ａ及び第２のフィルムショット１１６Ｂを撮り直すべきであるか、それとも第１のオブジェクトに１又は２以上の既知の画像処理法を適用すべきであるかについての適切な判断を行うことができる。第１のフィルムショット１１６Ａ及び第２のフィルムショット１１６Ｂを取り込んだ時点で第１のオブジェクトの不連続性が意図的なものである場合、ユーザ１１０は、通知情報を廃棄する判断を行うこともできる。
【００２５】
ある実施形態によれば、ビデオ編集装置１０２は、第１のビデオコンテンツ１１２のフィルムシーンの組１１４Ａ〜１１４Ｂのそれぞれの異なる連続する又は隣接するフィルムショットに対して連続性チェックを実行し、実行された連続性チェックに基づいて、異なるオブジェクトについての通知情報を生成するように構成することができる。従って、ビデオ編集装置１０２は、取り込まれた第１のビデオコンテンツ１１２内の連続性エラー（又は誤り）を正確かつ自動的に検出することによって、ユーザ１１０のかなりの手動労力をさらに軽減することができる。正確かつ自動的な連続性エラーの検出は、ユーザ１１０が第１のビデオコンテンツ１１２の全体的な品質を改善し、第１のビデオコンテンツ１１２の視聴者間におけるユーザ１１０の信頼性を高めるのをさらに支援することができる。
【００２６】
図２は、本開示の実施形態による、ビデオコンテンツのフィルムショットにおける異なるオブジェクトの描写の偏差通知制御のための例示的なビデオ編集装置を示すブロック図である。図２の説明は、図１の要素に関連して行う。図２には、ビデオ編集装置１０２を示す。ビデオ編集装置１０２は、回路２０２を含むことができ、回路２０２は、オブジェクト検出器２０４をさらに含むことができる。ビデオ編集装置１０２は、メモリ２０６と、ネットワークインターフェイス２０８と、入力／出力（Ｉ／Ｏ）装置２１０とをさらに含むことができる。Ｉ／Ｏ装置２１０は、ディスプレイ画面１０４を含むことができる。回路２０２は、メモリ２０６、ネットワークインターフェイス２０８及びＩ／Ｏ装置２１０に通信可能に結合することができる。回路２０２は、ネットワークインターフェイス２０８を使用してサーバ１０６と通信するように構成することができる。
【００２７】
回路２０２は、メモリ２０６に記憶された命令セットを実行するように構成できる好適なロジック、回路及びインターフェイスを含むことができる。回路２０２は、ユーザ１１０からＩ／Ｏ装置２１０を介して第１のユーザ入力を受け取る（すなわち、連続性チェックを実行する）ように構成することができる。回路２０２は、受け取った第１のユーザ入力に基づいて、フィルムシーン内の連続フィルムショットに含まれる異なるオブジェクトの連続性を決定するようにさらに構成することができる。ある実施形態によれば、回路２０２は、第１のビデオコンテンツ１１２内の異なるオブジェクトを分析して事実誤認を特定するように構成することができる。回路２０２は、当業で周知の複数のプロセッサ技術に基づいて実装することができる。回路２０２の例は、画像処理装置（ＧＰＵ）、中央処理装置（ＣＰＵ）、Ｘ８６ベースプロセッサ、縮小命令セットコンピュータ（ＲＩＳＣ）プロセッサ、特定用途向け集積回路（ＡＳＩＣ）プロセッサ、複数命令セットコンピュータ（ＣＩＳＣ）プロセッサ、及びその他のプロセッサなどとすることができる。
【００２８】
オブジェクト検出器２０４は、第１のフィルムショット１１６Ａの第１の画像フレーム１２２及び第２のフィルムショット１１６Ｂの第２の画像フレーム１２４から第１のオブジェクトの組及び第２のオブジェクトの組をそれぞれ検出するように構成できる好適なロジック、回路及びインターフェイスを含むことができる。ある実施形態によれば、オブジェクト検出器２０４は、検出された第１のオブジェクトの組及び第２のオブジェクトの組の異なるオブジェクトタイプを識別するようにさらに構成することができる。検出された第１のオブジェクトの組及び第２のオブジェクトの組は、２次元（２Ｄ）オブジェクト又は３次元（３Ｄ）オブジェクトの少なくとも一方に対応することができる。ある実施形態によれば、オブジェクト検出器２０４は、オブジェクト検出及び分類法に基づいて、第１のオブジェクトの組と、第２のオブジェクトの組と、関連するオブジェクトタイプとを検出するように構成することができる。オブジェクト検出及び分類法は、以下に限定するわけではないが、データフローグラフ、並びに畳み込みニューラルネットワーク（ＣＮＮ）、ＣＮＮ循環ニューラルネットワーク（ＣＮＮ−ＲＮＮ）、Ｒ−ＣＮＮ、高速Ｒ−ＣＮＮ、超高速Ｒ−ＣＮＮ及び（Ｙｏｕ  Ｏｎｌｙ  Ｌｏｏｋ  Ｏｎｃｅ）ＹＯＬＯネットワークなどのディープニューラルネットワーク（ＤＮＮ）アーキテクチャを用いた数値計算法に基づくことができる。いくつかの実施形態では、オブジェクト検出器２０４が、Ｓｏｂｅｌオペレータ又はＰｒｅｗｉｔｔオペレータなどを使用した、人間の形に基づくオブジェクト境界識別、事前指定形状又はテンプレートに基づくオブジェクト識別などの、他のオブジェクト識別法を実装することができる。オブジェクト検出器２０４の実装例は、専用回路、ＧＰＵ、ＲＩＳＣプロセッサ、ＡＳＩＣプロセッサ、ＣＩＳＣプロセッサ、マイクロコントローラ、中央処理装置（ＣＰＵ）、又はその他の制御回路とすることができる。
【００２９】
いくつかの実施形態では、オブジェクト検出器２０４を、画像フレーム内のオブジェクトを検出して識別するようにトレーニングされたＤＮＮ学習モデルに基づいて実装することができる。このような実装では、ビデオ取り込み装置によって取り込まれた画像フレーム内のオブジェクトを検出するトレーニング及び／又は速度を引き上げるように、オブジェクト検出器２０４を専用ＤＮＮ回路とすることができ、及び／又はオブジェクト検出器２０４が補助加速器回路を実装することができる。加速器回路は、（図１には示していない）オンデバイス（オフライン）加速器回路、又はサーバエンド（オンライン）加速器回路（すなわち、クラウドサーバにおいて利用可能なもの）とすることができる。
【００３０】
メモリ２０６は、第１のビデオコンテンツ１１２と、第１のビデオコンテンツ１１２に関連する時代を示すことができる第１のタイムライン情報とを記憶するように構成できる好適なロジック、回路及びインターフェイスを含むことができる。ある実施形態によれば、メモリ２０６は、ビデオ編集装置１０２が不連続性又は事実誤認を決定する対象である第１のオブジェクトに関連する通知情報を記憶するように構成することができる。いくつかの実施形態では、メモリ２０６が、図１に示すデータストレージシステム１０２Ａと同様の機能を実行することができる。メモリ２０６の実装例としては、以下に限定するわけではないが、ランダムアクセスメモリ（ＲＡＭ）、リードオンリメモリ（ＲＯＭ）、電子的に消去可能なプログラマブルリードオンリメモリ（ＥＥＰＲＯＭ）、ハードディスクドライブ（ＨＤＤ）、半導体ドライブ（ＳＳＤ）、ＣＰＵキャッシュ、及び／又はセキュアデジタル（ＳＤ）カードを挙げることができる。
【００３１】
ネットワークインターフェイス２０８は、通信ネットワーク１０８を介したビデオ編集装置１０２とサーバ１０６との間の通信を容易にするように構成できる好適なロジック、回路、及び／又はインターフェイスを含むことができる。ネットワークインターフェイス２０８は、ビデオ編集装置１０２と通信ネットワーク１０８との有線又は無線通信を支援する様々な既知の技術を使用して実装することができる。ネットワークインターフェイス２０８は、以下に限定するわけではないが、アンテナ、無線周波数（ＲＦ）トランシーバ、１又は２以上の増幅器、チューナ、１又は２以上の発振器、デジタルシグナルプロセッサ、コーダ−デコーダ（ＣＯＤＥＣ）チップセット、加入者アイデンティティモジュール（ＳＩＭ）カード、又はローカルバッファを含むことができる。
【００３２】
Ｉ／Ｏ装置２１０は、ユーザ１１０とビデオ編集装置１０２の異なる演算コンポーネントとの間のＩ／Ｏチャネル／インターフェイスとして機能するように構成できる好適なロジック、回路及び／又はインターフェイスを含むことができる。Ｉ／Ｏ装置１１０は、ユーザ１１０から、第１のビデオコンテンツ１１２に対して連続性チェックを実行するための第１のユーザ入力を受け取るように構成することができる。Ｉ／Ｏ装置１１０は、ビデオ編集装置１０２が不連続性又は事実誤認を決定する対象である第１のオブジェクトに関連する通知情報を表示するようにさらに構成することができる。Ｉ／Ｏ装置２１０は、装置１０２の異なる演算コンポーネントと通信するように構成できる様々な入力及び出力装置を含むことができる。Ｉ／Ｏ装置２１０の例としては、以下に限定するわけではないが、タッチ画面、キーボード、マウス、ジョイスティック、マイク、及びディスプレイ画面（例えば、ディスプレイ画面１０４）を挙げることができる。
【００３３】
回路２０２及びオブジェクト検出器２０４は、図１に示すようなビデオ編集装置１０２が実行する機能又は動作を実行することもできる。回路２０２及びオブジェクト検出器２０４が実行する動作については、例えば図３、図４Ａ、図４Ｂ、図５、図６及び図７でさらに説明する。
【００３４】
図３に、本開示の実施形態による、図２のビデオ編集装置によるビデオコンテンツのフィルムショットにおける異なるオブジェクトの描写の偏差通知制御のための第１の例示的なシナリオを示す。図３の説明は、図１及び図２の要素に関連して行う。図３には、第１のシナリオ３００を示す。
【００３５】
第１のシナリオ３００では、第１のフィルムショット１１６Ａの第１の画像フレーム１２２と、第２のフィルムショット１１６Ｂの第２の画像フレーム１２４とを示す。ある実施形態によれば、第１のフィルムショット１１６Ａ及び第２のフィルムショット１１６Ｂは、同じフィルムシーン（例えば、第１のフィルムシーン１１４Ａ）に対応することができる。第１のフィルムショット１１６Ａ及び第２のフィルムショット１１６Ｂは、第１のフィルムシーン１１４Ａの連続ショット又は隣接ショットとすることができる。ある実施形態によれば、第１の画像フレーム１２２は、第１のフィルムショット１１６Ａの一連の画像フレーム１１８の最後のフレームとすることができ、第２の画像フレーム１２４は、第２のフィルムショット１１６Ｂの一連の画像フレーム１２０の最初のフレームとすることができる。ある実施形態によれば、第１のフィルムショット１１６Ａ及び第２のフィルムショット１１６Ｂは、第１のビデオコンテンツ１１２の同じ状況に対応し得る異なるフィルムシーンに対応することができる。例えば、異なるシーンは、異なる時点で（或いは異なる脚本又はセリフと共に）、ただし同じ状況としての同様の背景オブジェクトと共に取り込まれる。
【００３６】
図３には、連続ショットの第１の画像フレーム１２２及び第２の画像フレーム１２４（第１のフィルムショット１１６Ａ及び第２のフィルムショット１１６Ｂ）に対して連続性チェックを行うように構成されたビデオ編集装置１０２をさらに示す。ビデオ編集装置１０２は、連続性チェックを行って、第１のフィルムショット１１６Ａと第２のフィルムショット１１６Ｂとの間における異なるオブジェクトの一貫性（すなわち、存在又は視覚属性）を検証するように構成することができる。
【００３７】
回路２０２は、ユーザ１１０（例えば、第１のビデオコンテンツ１１２の編集者）から第１のユーザ入力を受け取ったことに基づいて、フィルムシーンの組１１４Ａ〜１１４Ｂの各連続ショット間の連続性チェックを開始するように構成することができる。連続性チェックでは、回路２０２を、第１のフィルムショット１１６Ａの第１の画像フレーム１２２と、第２のフィルムショット１１６Ｂの第２の画像フレーム１２４とを抽出するように構成することができる。ある実施形態によれば、回路２０２は、抽出のために、第１のビデオコンテンツ１１２を記憶しているメモリ２０６から第１の画像フレーム１２２及び第２の画像フレーム１２４に関連する画素情報を読み取るように構成することができる。ある実施形態によれば、回路２０２は、抽出された第１の画像フレーム１２２と抽出された第２の画像フレーム１２４とをオブジェクト検出器２０４に提供するようにさらに構成することができる。
【００３８】
ある実施形態によれば、オブジェクト検出器２０４は、抽出された第１の画像フレーム１２２から（図３の３０２、３０４Ａ、３０６Ａ、３０８Ａ、３１０Ａ、３１２Ａ及び３１４Ａなどの）第１のオブジェクトの組を検出するようにさらに構成することができる。オブジェクト検出器２０４は、抽出された第２の画像フレーム１２４から（図３の３０４Ｂ、３０６Ｂ、３０８Ｂ、３１０Ｂ、３１２Ｂ及び３１４Ｂなどの）第２のオブジェクトの組を検出するようにさらに構成することができる。オブジェクト検出器２０４は、図１で説明したような異なるオブジェクト検出法に基づいて、検出されたオブジェクトを異なるオブジェクトタイプに分類するようにさらに構成することができる。図３では、オブジェクト検出器２０４を、第１の画像フレーム１２２の第１のオブジェクトの組から、人間としてのオブジェクトタイプを有する第１のオブジェクト３０４Ａと、犬としてのオブジェクトタイプを有する第２のオブジェクト３０６Ａと、車としてのオブジェクトタイプを有する第３のオブジェクト３０８Ａと、照明装置としてのオブジェクトタイプを有する第４のオブジェクト３１０Ａと、箱としてのオブジェクトタイプを有する第５のオブジェクト３１４Ａと、植物としてのオブジェクトタイプを有する第６のオブジェクト３０２とを検出して分類するように構成することができる。オブジェクト検出器２０４は、第２の画像フレーム１２４の第２のオブジェクトの組から、人間としてのオブジェクトタイプを有する第７のオブジェクト３０４Ｂと、犬としてのオブジェクトタイプを有する第８のオブジェクト３０６Ｂと、車としてのオブジェクトタイプを有する第９のオブジェクト３０８Ｂと、照明装置としてのオブジェクトタイプを有する第１０のオブジェクト３１０Ｂと、箱としてのオブジェクトタイプを有する第１１のオブジェクト３１４Ｂとを検出して分類するようにさらに構成することができる。オブジェクト検出器２０４は、第１の画像フレーム１２２の第１のオブジェクトの組及び第２の画像フレーム１２４の第２のオブジェクトの組の画素座標をそれぞれ特定するように構成することができる。画素座標は、ビデオ取り込み装置が第１の画像フレーム１２２及び第２の画像フレーム１２４を取り込んだ解像度に基づいてＸ軸及びＹ軸で表すことができる。
【００３９】
ある実施形態によれば、回路２０２は、第１のオブジェクトの組及び第２のオブジェクトの組のそれぞれの検出されたオブジェクトタイプ及び特定された画素座標をオブジェクト検出器２０４から受け取るように構成することができる。回路２０２は、第１のオブジェクト３０４Ａ及び第７のオブジェクト３０４Ｂのオブジェクトタイプと特定された画素座標とに基づいて、第１の画像フレーム１２２の第１のオブジェクト３０４Ａと第２の画像フレーム１２４の第７のオブジェクト３０４Ｂとを同じオブジェクトとして識別するようにさらに構成することができる。ある実施形態によれば、オブジェクト検出器２０４は、検出されたオブジェクト内の異なるサブオブジェクトを検出して分類するように構成することができる。例えば、オブジェクト検出器２０４は、第１の画像フレーム１２２の（人間として）検出された第１のオブジェクト３０４Ａ内のバッジである第１２のオブジェクト３１４を検出するように構成することができる。ある実施形態によれば、回路２０２は、第１のオブジェクトの組における第１２のオブジェクト３１４をオブジェクト検出器２０４から受け取るように構成することができる。回路２０２は、第１の画像フレーム１２２の第１２のオブジェクト３１４のオブジェクトタイプと画素座標とに基づいて、第１のオブジェクトの組における第１２のオブジェクト３１４（例えば、バッジ）が、検出された第２のオブジェクトの組では無くなっている又は存在しないと判断するように構成することができる。回路２０２は、ユーザ１１０のための通知情報を生成するようにさらに構成することができる。この通知情報は、第１の画像フレーム１２２（例えば、第１のフィルムショット１１６Ａの最後のフレーム）と第２の画像フレーム１２４（例えば、第２のフィルムショット１１６Ｂの最初のフレーム）との間における第１２のオブジェクト３１４の不連続性又は不一致を示すことができる。この通知情報は、ユーザ１１０のための、第１２のオブジェクト３１４（例えば、バッジ）の不連続性に関するアラート又はエラーメッセージとすることができる。回路２０２は、第１２のオブジェクト３１４に関連する生成された通知情報を出力するようにディスプレイ画面１０４を制御するよう構成することができる。通知情報の詳細については、例えば図４Ａ及び図４Ｂで詳細に説明する。ある実施形態によれば、回路２０２は、ビデオ編集装置１０２に関連するスピーカ（図示せず）を、生成された通知を音声形態で出力するように制御するよう構成することができる。
【００４０】
ある実施形態によれば、回路２０２は、検出された第１のオブジェクトの組及び第２のオブジェクトの組の１又は２以上の視覚属性を決定するようにさらに構成することができる。いくつかの実施形態では、回路２０２を、第１の画像フレーム１２２及び第２の画像フレーム１２４の各画素の画素情報に基づいて１又は２以上の視覚属性を決定するように構成することができる。画素情報は、以下に限定するわけではないが、輝度値、コントラスト値、又はカラー値を含むことができる。いくつかの実施形態では、回路２０２を、第１のオブジェクトの組及び第２のオブジェクトの組のそれぞれの特定された画素座標に基づいて１又は２以上の視覚属性を決定するように構成することができる。検出された第１のオブジェクトの組及び第２のオブジェクトの組の１又は２以上の視覚属性の例としては、以下に限定するわけではないが、形状、サイズ、寸法、色、輝度値、コントラスト値、起伏、配向、傾斜角、姿勢、又は文字情報を挙げることができる。
【００４１】
ある実施形態によれば、回路２０２は、第１のオブジェクト３０４Ａ及び第７のオブジェクト３０４Ｂ（すなわち、同じオブジェクト）のそれぞれの１又は２以上の視覚属性を決定するようにさらに構成することができる。回路２０２は、第１のオブジェクト３０４Ａ及び第７のオブジェクト３０４Ｂのそれぞれの決定された１又は２以上の視覚属性のうちの少なくとも１つの視覚属性の偏差を特定するように構成することができる。図３では、第１のオブジェクト３０４Ａ及び第７のオブジェクト３０４Ｂの１又は２以上の視覚属性が同じである。従って、回路２０２は、第１の画像フレーム１２２と第２の画像フレーム１２４との間における、第１のオブジェクト３０４Ａ及び第７のオブジェクト３０４Ｂの１又は２以上の視覚属性の一貫性（又は連続性）を検出するように構成することができる。
【００４２】
回路２０２は、第２のオブジェクト３０６Ａ及び第８のオブジェクト３０６Ｂのオブジェクトタイプと特定された画素座標とに基づいて、第１の画像フレーム１２２の第２のオブジェクト３０６Ａと第２の画像フレーム１２４の第８のオブジェクト３０６Ｂとを同じオブジェクト（例えば、犬）として識別するようにさらに構成することができる。回路２０２は、第２のオブジェクト３０６Ａ及び第８のオブジェクト３０６Ｂの１又は２以上の視覚属性を決定するようにさらに構成することができる。図３では、回路２０２が、第２のオブジェクト３０６Ａと第８のオブジェクト３０６Ｂとの間におけるサイズの偏差を特定することができる。回路２０２は、このサイズの偏差に基づいて、第２のオブジェクト３０６Ａ（又は、第８のオブジェクト３０６Ｂ）に関連する通知情報を生成するようにさらに構成することができる。第２のオブジェクト３０６Ａと第８のオブジェクト３０６Ｂとの間におけるサイズの偏差は、第１のフィルムショット１１６Ａの第１の画像フレーム１２２と第２のフィルムショット１１６Ｂの第２の画像フレーム１２４との間の不連続性又は不一致性を示すことができる。
【００４３】
同様に、図３では、回路２０２が、第１の画像フレーム１２２の（車としての）第３のオブジェクト３０８Ａと、第２の画像フレーム１２４の（第３のオブジェクト３０８Ａと同様の）第９のオブジェクト３０８Ｂとの間の形状の偏差を特定することができる。回路２０２は、第１の画像フレーム１２２の（照明装置としての）第４のオブジェクト３１０Ａと、第２の画像フレーム１２４の第１０のオブジェクト２１０Ｂとの間の色の偏差を特定するようにさらに構成することができる。
【００４４】
ある実施形態によれば、オブジェクト検出器２０４は、検出された第１のオブジェクトの組及び第２のオブジェクトの組の文字情報を検出するように構成することができる。ある実施形態によれば、オブジェクト検出器２０４は、１又は２以上の文字認識法又は光学文字認識法に基づいて文字情報を検出することができる。オブジェクト検出器２０４は、第１のオブジェクトの組及び第２のオブジェクトの組のそれぞれの検出された文字情報を回路２０２に提供するようにさらに構成することができる。回路２０２は、第１の画像フレーム１２２及び第２の画像フレーム１２４の同様のオブジェクトの文字情報を比較して、文字情報の偏差を特定するようにさらに構成することができる。図３では、回路２０２が、第３のオブジェクト３０８Ａの第１の文字情報３１２Ａ（例えば、「ＣＯＰ１０１７Ｘ」）と、第９のオブジェクト３０８Ｂの第２の文字情報３１２Ｂ（例えば、「ＣＯＰ１０２２Ｙ」）との間の偏差を特定することができる。回路２０２は、第１の文字情報３１２Ａと第２の文字情報３１２Ｂとの間における特定された偏差に基づいて、第３のオブジェクト３０８Ａ（又は第９のオブジェクト３０８Ｂ）に関連する通知情報を生成するようにさらに構成することができる。さらに、図３では、回路２０２が、第１のオブジェクトの組及び第２のオブジェクトの組のそれぞれの検出されたオブジェクトタイプに基づいて、第１のオブジェクトの組の（植物としての）第６のオブジェクト３０２が第２のオブジェクトの組に存在しない又は欠けていると判断することができる。回路２０２は、第１の画像フレーム１２２と第２の画像フレーム１２４との間における第６のオブジェクト３０２の不連続性を示す通知情報を生成するように構成することができる。従って、ビデオ編集装置１０２は、連続ショット間におけるオブジェクトの（存在の又は少なくとも１つの視覚属性の）不連続性の通知情報を自動的かつ正確に生成することができる。自動的かつ正確な通知情報の生成は、不連続性（又は連続性エラー）の識別における大幅な時間の節約を確実にするとともに、第１のビデオコンテンツ１１２の全体的な品質の改善をさらに確実にする。
【００４５】
ある実施形態によれば、回路２０２は、第１の画像フレーム１２２の第１のオブジェクトの組の各オブジェクトの、第２の画像フレーム１２４の第２のオブジェクトの組の同様のオブジェクトに対する位置偏差を特定するようにさらに構成することができる。回路２０２は、第１のオブジェクトの組及び第２のオブジェクトの組のそれぞれの画素座標に基づいて位置偏差を特定するように構成することができる。図３では、回路２０２を、第１の画像フレーム１２２の（箱としての）第５のオブジェクト３１４Ａと（第５のオブジェクト３１４Ａと同様の）第１１のオブジェクト３１４Ｂとの間の位置偏差を識別するように構成することができる。第５のオブジェクト３１４Ａと第１１のオブジェクト３１４Ｂとの間の位置偏差は、第１のフィルムショット１１６Ａと第２のフィルムショット１１６Ｂとの間における第５のオブジェクト３１４Ａ（又は第１１のオブジェクト３１４Ｂ）の位置又は動きの変化を示すことができる。ある実施形態によれば、回路２０２は、検出された位置偏差に基づいて第５のオブジェクト３１４Ａ（又は第１１のオブジェクト３１４Ｂ）に関する通知情報を生成するように構成することができる。回路２０２は、位置偏差に関する通知情報をユーザ１１０に表示するようにディスプレイ画面１０４を制御するようさらに構成することができる。ユーザ１１０は、この位置偏差に関する通知情報に基づいて、第１１のオブジェクト３１４Ｂの位置を修正することによって第２のフィルムショット１１６Ｂを撮り直すとの判断を行い、第５のオブジェクト３１４Ａと第１１のオブジェクト３１４Ｂとの間の位置の不連続性をさらに回避することができる。ユーザ１１０は、異なる画像処理法又は画像編集法を使用して第２の画像フレーム１２４の第１１のオブジェクト３１４Ｂの位置を修正することができる。ユーザ１１０は、第２のフィルムショット１１６Ｂの取り込み時点で第５のオブジェクト３１４Ａと第１１のオブジェクト３１４Ｂとの間の位置偏差が意図的なものであった場合、第５のオブジェクト３１４Ａ（又は第１１のオブジェクト３１４Ｂ）に関する通知情報を無視することもできる。例えば、監督又はカメラマンが、第１のビデオコンテンツ１１２の取り込み中に第１のフィルムシーン１１４Ａの脚本に基づいて、連続ショット間で特定のオブジェクトの位置又は場所を意図的に変化させることもある。別の例では、監督又はカメラマンが、第２のフィルムショット１１６Ｂの取り込み時点でビデオ取り込み装置のズームを第１のフィルムショット１１６Ａに対して変化させた場合、１又は２以上の視覚属性（例えば、サイズ又は寸法）の偏差はユーザ１１０による意図的なものであると考えることができる。
【００４６】
ある実施形態によれば、回路２０２は、第１のフィルムシーン１１４Ａ（すなわち、第１のフィルムショット１１６Ａ及び第２のフィルムショット１１６Ｂを含むフィルムシーン）の状況に基づいて、第１のオブジェクトの組の各々と第２のオブジェクトの組の対応する同様のオブジェクトとの間の位置偏差を特定するように構成することができる。回路２０２は、第１の画像フレーム１２２よりも前の複数の画像フレーム（又は第１のフィルムショット１１６Ａよりも前の複数のフィルムショット）を分析して第１のフィルムシーン１１４Ａの状況を判断するように構成することができる。ある実施形態によれば、回路２０２は、複数の画像フレーム内の異なるオブジェクトの画素座標を特定して第１のフィルムシーン１１４Ａの状況を判断するように構成することができる。例えば、連続ショット間でオブジェクト及びサブオブジェクトの頻繁な動きが取り込まれる（状況としてのダンス又は楽曲シーンなど）移動シーンの場合には、回路２０２を、（第１のオブジェクトの組と、第２のオブジェクトの組の対応する同様のオブジェクトとの間の）位置偏差を廃棄してユーザ１１０のための通知情報を生成するように構成することができる。従って、ビデオ編集装置１０２は、連続ショット間におけるオブジェクトの知的連続性チェックを行うことができる。ビデオ編集装置１０２によって実行されるこのような知的連続性チェックは、ユーザ１１０に少ない時間で正確な連続性エラーを提供することができる。ユーザ１１０は、全ての連続性エラーをさらに分析して修正し、編集段階後の最終的に公開される第１のビデオコンテンツ１１２の品質を改善することができる。
【００４７】
図４Ａ及び図４Ｂに、本開示の実施形態による、図２のビデオ編集装置によるビデオコンテンツのフィルムショットにおける異なるオブジェクトの描写の偏差通知を表示するユーザインターフェイスを集合的に示す。図４Ａ及び図４Ｂの説明は、図１、図２及び図３の要素に関連して行う。図４Ａには、ディスプレイ画面１０４に表示される第１のユーザインターフェイス（ＵＩ）４００Ａを示す。
【００４８】
ある実施形態によれば、第１のユーザインターフェイス（ＵＩ）４００Ａは、回路２０２が第１のビデオコンテンツ１１２のフィルムシーンの組１１４Ａ〜１１４Ｂの連続ショットに対して実行する連続性チェックに基づいて生成された通知情報を示すことができる。図４Ａでは、第１のユーザインターフェイス４００Ａが、例えば図３で詳細に説明したような第１の画像フレーム１２２の第１のオブジェクトの組と第２の画像フレーム１２４の第２のオブジェクトの組との間で実行される連続性チェックに基づいて生成された通知情報を示すことができる。この通知情報は、第１の画像フレーム１２２の第１のオブジェクトの組と第２の画像フレーム１２４の第２のオブジェクトの組との間の不連続性又は不一致性を示すことができる。ある実施形態によれば、この通知情報は、ビデオ編集装置１０２によってオブジェクトの１又は２以上の不連続性が検出された第１のフィルムシーン１１４Ａの識別子を含むことができる。第１のフィルムシーン１１４Ａの識別子は、第１のビデオコンテンツ１１２のシーン番号を示すことができる。いくつかの実施形態では、通知情報が、ビデオ編集装置１０２によってオブジェクトの１又は２以上の不連続性が検出された第１のフィルムショット１１６Ａ及び第２のフィルムショット１１６Ｂの識別情報をさらに含むことができる。この識別情報は、第１のフィルムショット１１６Ａ及び第２のフィルムショット１１６Ｂを含むことができる第１のフィルムシーン１１４Ａのショット番号を示すことができる。ある実施形態によれば、通知情報が、不連続性（又は連続性エラー）の詳細を含むことができる。不連続性の詳細は、第１のオブジェクトの組及び第２のオブジェクトの組のオブジェクトタイプ、及び１又は２以上の視覚属性の偏差を含むことができる。
【００４９】
図４Ａには、ディスプレイ画面１０４上に表形式で表示される生成された通知情報を示すことができる複数のＵＩオプション４０２Ａ〜４０２Ｎを示す。複数のＵＩオプション４０２Ａ〜４０２Ｎの各々は、生成された通知情報を表示することができる。ある実施形態によれば、複数のＵＩオプション４０２Ａ〜４０２Ｎの各々は、第１のフィルムシーン１１４Ａの識別子と、第１のフィルムショット１１６Ａ及び第２のフィルムショット１１６Ｂの識別情報と、検出された不連続性の詳細とを示すことができる。
【００５０】
ある実施形態によれば、複数のＵＩオプション４０２Ａ〜４０２Ｎは、図３に示すような第１の画像フレーム１２２と第２の画像フレーム１２４との間における第１２のオブジェクト３１４（例えば、バッジ）に関する不連続性を示すことができる第１のＵＩオプション４０２Ａを含むことができる。例えば、第１のＵＩオプション４０２Ａは、（第１のフィルムシーン１１４Ａの識別子としての）フィルムシーン番号「１」、並びに（第１のフィルムショット１１６Ａ及び第２のフィルムショット１１６Ｂの識別情報としての）番号１及び２を有する連続ショット間における第１２のオブジェクト３１４の連続性エラーの詳細を含むことができる、「制服のバッジ無し」とのエラーメッセージを示すことができる。
【００５１】
同様に、複数のＵＩオプション４０２Ａ〜４０２Ｎは、エラーメッセージを含むことができる第２のＵＩオプション４０２Ｂを含むこともできる。このエラーメッセージは、図３に示すような（犬としてのオブジェクトタイプを有する）第２のオブジェクト３０６Ａ及び第８のオブジェクト３０６Ｂに関連する不連続性（すなわち、サイズの偏差）を示すことができる。このエラーメッセージは、第２の画像フレーム１２４の第８のオブジェクト３０６Ｂの描写における制作エラーを示すこともできる。例えば、第２のＵＩオプション４０２Ｂは、「１」という第１のフィルムシーン１１４Ａの識別子、並びに「１及び２」という第１のフィルムショット１１６Ａ及び第２のフィルムショット１１６Ｂの識別情報を使用して、第８のオブジェクト３０６Ｂの連続性エラーの詳細を「犬のサイズが異なる」として示すことができる。図４Ａでは、複数のＵＩオプション４０２Ａ〜４０２Ｎが、第３のＵＩオプション４０２Ｃ、第４のＵＩオプション４０２Ｄ、第５のＵＩオプション４０２Ｅ及び第６のＵＩオプション４０２Ｆを含むことができる。ある実施形態によれば、第３のＵＩオプション４０２Ｃは、第１の画像フレーム１２２と第２の画像フレーム１２４との間における（車としての）第３のオブジェクト３０８Ａ及び第９のオブジェクト３０８Ｂに関連する不連続性（すなわち、形状及び文字情報の偏差）を示すことができるエラーメッセージを含むことができる。例えば、第３のＵＩオプション４０２Ｃは、第３のオブジェクト３０８Ａ及び第９のオブジェクト３０８Ｂの不連続性の詳細を「車の形状及び文字が異なる」として示すことができる。第４のＵＩオプション４０２Ｄは、（照明装置としての）第４のオブジェクト３１０Ａ及び第１０のオブジェクト３１０Ｂに関連する不連続性（すなわち、色の偏差）を示すことができるエラーメッセージを含むことができる。例えば、第４のＵＩオプション４０２Ｄは、第４のオブジェクト３１０Ａ及び第１０のオブジェクト３１０Ｂの不連続性の詳細を「車上の照明装置の色が異なる」として示すことができる。第５のＵＩオプション４０２Ｅは、「１」というフィルムシーン番号と、「１、２」という連続ショットとを使用して、第６のオブジェクト３０２の連続性エラーの詳細を「植物無し」として示すことができる。第６のＵＩオプション４０２Ｆは、（箱としての）第５のオブジェクト３１４Ａ及び第１１のオブジェクト３１４Ｂに関連する不連続性（すなわち、位置の偏差）を示すことができるエラーメッセージを含むことができる。例えば、第６のＵＩオプション４０２Ｆは、第５のオブジェクト３１４Ａ及び第１１のオブジェクト３１４Ｂの不連続性の詳細を「箱の位置が異なる」として示すことができる。
【００５２】
ある実施形態によれば、回路２０２は、第１のビデオコンテンツ１１２に通知情報をメタデータとして追加するように構成することができる。いくつかの実施形態では、回路２０２を、通知情報が生成された対象である一致しないオブジェクトを含む第１のフィルムショット１１６Ａ又は第２のフィルムショット１１６Ｂを通知情報にメタデータとして追加するように構成することができる。第１のビデオコンテンツ１１２に追加されるメタデータは、ユーザ１１０が後の段階で第１のビデオコンテンツ１１２を編集又はレンダリングしている間に異なる連続性ミス（又は一致しないオブジェクト）を素早く参照するのを支援することができる。
【００５３】
ある実施形態によれば、回路２０２は、ユーザ１１０からＩ／Ｏ装置２１０を介して、複数のＵＩオプション４０２Ａ〜４０２Ｎのうちの１つを選択するための１又は２以上のユーザ入力を受け取るように構成することができる。回路２０２は、複数のＵＩオプション４０２Ａ〜４０２Ｎのうちの選択されたオプションに関連する対応するショット又は対応する画像フレームを表示するようにディスプレイ画面１０４を制御するようさらに構成することができる。例えば、ユーザ１１０が第３のＵＩオプション４０２Ｃを選択した場合、回路２０２は、車としてのオブジェクトタイプを有する第３のオブジェクト３０８Ａ（又は同様の第９のオブジェクト３０８Ｂ）の不連続性（すなわち、形状及び文字の偏差）を含む第１の画像フレーム１２２及び第２の画像フレーム１２４を表示するようにディスプレイ画面１０４を制御することができる。
【００５４】
ある実施形態によれば、回路２０２は、ユーザ１１０からＩ／Ｏ装置２１０を介して、表示された複数のＵＩオプション４０２Ａ〜４０２Ｎをフィルタリングするための１又は２以上のユーザ入力を受け取るように構成することができる。回路２０２は、様々な因子に基づいて複数のＵＩオプション４０２Ａ〜４０２Ｎをフィルタリングするように構成することができる。これらの因子の例としては、以下に限定するわけではないが、シーン番号、ショット番号、オブジェクトタイプ、又は１又は２以上の視覚属性を挙げることができる。例えば、回路２０２は、ユーザ１１０から、シーン１についての複数のＵＩオプション４０２Ａ〜４０２Ｎのうちの１つ又は２つ以上をフィルタリングして表示（すなわち、通知情報を生成）するための１又は２以上のユーザ入力を受け取ることができる。別の例では、回路２０２が、ユーザ１１０から、位置の偏差、無くなったオブジェクト、又は人間というオブジェクトタイプを含む複数のＵＩオプション４０２Ａ〜４０２Ｎのうちの１つ又は２つ以上をフィルタリングして表示するための１又は２以上のユーザ入力を受け取ることができる。このように、第１のビデオコンテンツ１１２の選択的な不連続性の表示は、第１のビデオコンテンツ１１２の品質及び人気を高めるために修正すべき実際の連続性ミスをユーザ１１０が識別するのを支援することができる。
【００５５】
図４Ｂには、第１の画像フレーム１２２及び第２の画像フレーム１２４のいずれかにおいて生成されたグラフィック形式の通知情報を示す。図４Ｂには、通知情報としての複数のＵＩ領域４０４Ａ〜４０４Ｆを示す。複数のＵＩ領域４０４Ａ〜４０４Ｆは、例えば図３で詳細に説明したように回路２０２によって連続性エラーが検出された又は通知情報が生成された第１のオブジェクトの組及び第２のオブジェクトの組を覆うグラフィックオーバレイ（例えば、透明な境界又は領域）とすることができる。従って、このような通知情報のグラフィック表現は、（編集者としての）ユーザ１１０が少ない時間で連続性エラーを識別するのを支援することができる。ユーザ１１０は、異なるオブジェクトに関連する表示された通知情報のグラフィック表現に基づいて、検出された（連続性エラーを有する）ショットを撮り直すべきであるか、既知のビデオ編集技術を使用して連続性エラーを修正すべきであるか、それとも（ショットの取り込み時点で不連続性又は偏差が意図的なものである場合）特定のオブジェクトの連続性エラーを無視すべきであるかについての適切な判断をさらに行うことができる。
【００５６】
図５に、本開示の実施形態による、図２のビデオ編集装置によるビデオコンテンツのフィルムショットにおける異なるオブジェクトの描写の偏差通知制御のための第２の例示的なシナリオを示す。図５の説明は、図１、図２、図３、図４Ａ及び図４Ｂの要素に関連して行う。図５には、第２のシナリオ５００を示す。
【００５７】
第２のシナリオ５００では、ビデオ編集装置１０２が連続性チェックを実行できる第１の画像フレーム１２２及び第２の画像フレーム１２４を示す。第１の画像フレーム１２２は、（人間の顔としてのオブジェクトタイプを有する）第１の顔オブジェクト５０２Ａを含むことができ、第２の画像フレーム１２４は、（第１の顔オブジェクト５０２Ａと同様の）第２の顔オブジェクト５０２Ｂを含むことができる。図５では、ビデオ取り込み装置が、第１の画像フレーム１２２及び第２の画像フレーム１２４を第１の顔オブジェクト５０２Ａに対する異なる角度で取り込むことができる。例えば、第１のフィルムショット１１６Ａの第１の画像フレーム１２２は、第１の顔オブジェクト５０２Ａの右側（例えば、ゼロ度の角度）から取り込むことができ、第２のフィルムショット１１６Ｂの第２の画像フレーム１２４は、第２の顔オブジェクト５０２Ｂの前側から（例えば、９０度の角度で）取り込むことができる。
【００５８】
ある実施形態によれば、第１の画像フレーム１２２は、ビデオ取り込み装置が第１の画像フレーム１２２を取り込むことができる第１の角度を示すことができる第１の角度情報（例えば、ゼロ度）を含むことができる。ある実施形態によれば、ビデオ取り込み装置は、第１の画像フレーム１２２を取り込むために第１の位置（例えば、第１の顔オブジェクト５０２Ａの右側）に存在することができる。第２の画像フレーム１２４は、ビデオ取り込み装置が第２の画像フレーム１２４を取り込むことができる第２の角度を示すことができる第２の角度情報（例えば、９０度）を含むことができる。ある実施形態によれば、ビデオ取り込み装置は、第２の画像フレーム１２４を取り込むために第２の位置（例えば、第２の顔オブジェクト５０２Ｂの前側）に存在することができる。（第２の画像フレーム１２４を取り込むことができる）第２の角度は、（第１の画像フレーム１２２を取り込むことができる）第１の角度に対して定めることができる。ある実施形態によれば、第１のフィルムショット１１６Ａの一連の画像フレーム１１８の各画像フレームは第１の角度情報を含むことができ、第２のフィルムショット１１６Ｂの一連の画像フレーム１２０の各画像フレームは第２の角度情報を含むことができる。
【００５９】
ある実施形態によれば、オブジェクト検出器２０４は、第１の画像フレーム１２２から第１の顔オブジェクト５０２Ａを検出するように構成することができる。回路２０２は、検出された第１の顔オブジェクト５０２Ａをオブジェクト検出器２０４から受け取るように構成することができる。ある実施形態によれば、回路２０２は、第１の画像フレーム１２２に含まれる第１の角度情報に基づいて、検出された第１の顔オブジェクト５０２Ａの第１の３次元（３Ｄ）画像を生成するようにさらに構成することができる。いくつかの実施形態では、回路２０２が、様々な２Ｄ−３Ｄ変換法を使用して第１の顔オブジェクト５０２Ａの第１の３Ｄ画像を生成することができる。このような２Ｄ−３Ｄ変換法の例としては、以下に限定するわけではないが、離散線形変換（ＤＬＴ）を用いた複数の画像からの３Ｄ再現、ディープニューラルネットワークを用いた２Ｄ画像からの３Ｄ再現、三角測量法を用いた２Ｄ画像からの３Ｄ再現、又は２Ｄ画像の単眼及び立体キューからの３Ｄ再現を挙げることができる。
【００６０】
ある実施形態によれば、オブジェクト検出器２０４は、第２の画像フレーム１２２から第２の顔オブジェクト５０２Ｂを検出するようにさらに構成することができる。回路２０２は、検出された第２の顔オブジェクト５０２Ｂをオブジェクト検出器２０４から受け取るように構成することができる。ある実施形態によれば、回路２０２は、第２の画像フレーム１２４に含まれる第２の角度情報に基づいて、検出された第２の顔オブジェクト５０２Ｂの第２の３Ｄ画像を生成するように構成することができる。
【００６１】
ある実施形態によれば、一連の画像フレーム１１８の各々は、ビデオ取り込み装置が一連の画像フレーム１１８の各々を取り込んだ第１の角度を示す第１の角度情報を含むことができる。いくつかの実施形態では、一連の画像フレーム１１８の第１の複数の画像フレームを、一連の画像フレーム１１８の第２の複数の画像フレームに比べて異なる角度で取り込むことができる。例えば、ビデオ取り込み装置が特定の方向（Ｘ軸、Ｙ軸又はＺ軸のいずれか）に特定の速度で連続して動いている場合、第１のフィルムショット１１６Ａの第１の複数の画像フレームは、第１のフィルムショット１１６Ａの第２の複数の画像フレームの取り込みに対して異なる角度で取り込むことができる。ある実施形態によれば、異なる角度で取り込まれる第１の複数の画像フレームの数及び第２の複数の画像フレームの数は、ビデオ取り込み装置のフレーム（又は取り込み）レート、及び第１のフィルムショット１１６Ａの取り込み中にビデオ取り込み装置が移動する特定の速度に基づくことができる。
【００６２】
ある実施形態によれば、一連の画像フレーム１１８の各々は、ビデオ取り込み装置の第１の動き情報を含むことができる。第１の動き情報は、第１の当初位置（例えば、一連の画像フレーム１１８の第１の画像フレームの取り込み中におけるビデオ取り込み装置の位置）に対するビデオ取り込み装置の位置の変化を示すことができる。この位置は、３Ｄ物理空間におけるビデオ取り込み装置のＸＹＺ位置に対応することができる。
【００６３】
ある実施形態によれば、回路２０２は、一連の画像フレーム１１８の各々に関連する第１の角度情報又は第１の動き情報に基づいて、検出された第１の顔オブジェクト５０２Ａ（又は図３の第１のオブジェクトの組）の第１の３Ｄ画像を生成するように構成することができる。同様に、第２のフィルムショット１１６Ｂの一連の画像フレーム１２０の各々は、ビデオ取り込み装置の第２の動き情報を含むことができる。第２の動き情報は、第２の当初位置（例えば、第２のフィルムショット１１６Ｂの一連の画像フレーム１２０の第１の画像フレームの取り込み中におけるビデオ取り込み装置の位置）に対するビデオ取り込み装置の位置の変化を示すことができる。ある実施形態によれば、回路２０２は、第２のフィルムショット１１６Ｂの一連の画像フレーム１２０の各々に関連する第２の角度情報又は第２の動き情報に基づいて、検出された第２の顔オブジェクト５０２Ｂ（又は図３の第２のオブジェクトの組）の第２の３Ｄ画像を生成するように構成することができる。
【００６４】
ある実施形態によれば、回路２０２は、第１の顔オブジェクト５０２Ａの生成された第１の３Ｄ画像（すなわち、第１の角度で取り込まれた３Ｄ画像）と、第２の顔オブジェクト５０２Ｂの生成された第２の３Ｄ画像（すなわち、第２の角度で取り込まれた３Ｄ画像）とを比較するようにさらに構成することができる。回路２０２は、第１の顔オブジェクト５０２Ａの生成された第１の３Ｄ画像及び第２の顔オブジェクト５０２Ｂの生成された第２の３Ｄ画像の１又は２以上の視覚属性の偏差を検出するようにさらに構成することができる。図５では、回路２０２を、第１の顔オブジェクト５０２Ａの生成された第１の３Ｄ画像と、第２の顔オブジェクト５０２Ｂの生成された第２の３Ｄ画像との間の起伏又は形状（例えば、血管（ｂｌｏｏｄ）の起伏又は形状）の偏差を検出するように構成することができる。図５では、第１の顔オブジェクト５０２Ａ上の（例えば、血管マークとしてのオブジェクトタイプを有する）第１のサブオブジェクト５０４Ａの起伏又は形状が、第２の顔オブジェクト５０２Ｂ上の（第１のサブオブジェクト５０４Ａと同様の）第２のサブオブジェクト５０４Ｂの起伏又は形状と異なる。さらに、第１の画像フレーム１２２の第１の顔オブジェクト５０２Ａでは、第２の画像フレーム１２４の第２の顔オブジェクト５０２Ｂ上の（例えば、血管マークとしてのオブジェクトタイプを有する）第３のサブオブジェクト５０６が欠けている可能性がある。
【００６５】
ある実施形態によれば、回路２０２は、第１のサブオブジェクト５０４Ａと第２のサブオブジェクト５０４Ｂとの間の起伏（又は形状）の偏差に基づいて通知情報を生成するように構成することができる。いくつかの実施形態では、回路２０２を、連続フレーム（すなわち、第１の画像フレーム１２２と第２の画像フレーム１２４との）間の第３のサブオブジェクト５０６の不連続性（又は不在）の検出に基づいて通知情報を生成するように構成することができる。従って、ビデオ編集装置１０２の３Ｄ生成及び比較能力は、たとえ連続ショットにおいてオブジェクトが異なる角度で取り込まれた場合でもオブジェクトの不連続性の自動検出を可能にする。
【００６６】
図６に、本開示の実施形態による、図２のビデオ編集装置によるビデオコンテンツのフィルムショットにおける異なるオブジェクトの描写の事実誤認通知制御のための第３の例示的なシナリオを示す。図６の説明は、図１、図２、図３、図４Ａ、図４Ｂ及び図５の要素に関連して行う。図６には、第３のシナリオ６００を示す。
【００６７】
第３のシナリオ６００では、第１のビデオコンテンツ１１２の特定のフィルムショットの取り込み画像フレーム６０２を示す。画像フレーム６０２は、第１のオブジェクト６０４及び第２のオブジェクト６０６を含むことができる。ある実施形態によれば、第１のオブジェクト６０４は、人間（例えば、ニュースレポータ）としてのオブジェクトタイプに対応することができ、第２のオブジェクト６０６は、第１のオブジェクト６０４が保持するハンドマイクとしてのオブジェクトタイプに対応することができる。図６には、第２のオブジェクト６０６に印刷された文字情報も示す。例えば、文字情報は、第１のオブジェクト６０４（例えば、ニュースレポータ）に関連し得る（ニュースチャンネル名などの）組織名に対応することができる。
【００６８】
ある実施形態によれば、回路２０２は、第１のビデオコンテンツ１１２の編集段階中に、ユーザ１１０からＩ／Ｏ装置１２０を介して第２のユーザ入力を受け取るように構成することができる。第２のユーザ入力は、第１のビデオコンテンツ１１２に対して事実誤認チェックを実行する要求を含むことができる。回路２０２は、第２のユーザ入力を受け取ったことに応答して、各画像フレーム（例えば、画像フレーム６０２）又は第１のビデオコンテンツ１１２の各フィルムショットに対して事実誤認チェックを実行するように構成することができる。
【００６９】
図６では、回路２０２を、メモリ２０６に記憶された第１のビデオコンテンツ１１２から画像フレーム６０２を抽出するように構成することができる。オブジェクト検出器２０４は、抽出された画像フレーム６０２から第１のオブジェクト６０４及び第２のオブジェクト６０６のそれぞれのオブジェクトタイプを検出するように構成することができる。オブジェクト検出器２０４は、抽出された画像フレーム６０２から第２のオブジェクト６０６に関連する文字情報（例えば、図６に示すような「Ｔｏｐ  Ｃｈａｎｎｅｌ」）を検出するようにさらに構成することができる。ある実施形態によれば、回路２０２は、オブジェクト検出器２０４から、第１のオブジェクト６０４及び第２のオブジェクト６０６のそれぞれの検出されたオブジェクトタイプ、並びに文字情報を受け取るように構成することができる。回路２０２は、第１のビデオコンテンツに関連する第１のタイムライン情報を検索するようにさらに構成することができる。第１のタイムライン情報は、第１のビデオコンテンツ１１２に関連する時代又は第１のビデオコンテンツ１１２によって示される時代（例えば、中世時代）を示すことができる。ある実施形態によれば、第１のタイムライン情報は、第１のビデオコンテンツ１１２を取り込むことができる１年間又は１０年間を示すことができる。いくつかの実施形態では、回路２０２は、ユーザ１１０からＩ／Ｏ装置２１０を介して第１のタイムライン情報を受け取るように構成することができる。第１のタイムライン情報は、ユーザ１１０から受け取られる第２のユーザ入力に含めることができる。
【００７０】
ある実施形態によれば、回路２０２は、検出された第１のオブジェクト６０４及び第２のオブジェクト６０６のそれぞれの画像及びオブジェクトタイプ、並びに検出された文字情報をサーバ１０６に送信するように構成することができる。ある実施形態によれば、サーバは、異なるオブジェクトタイプを有する複数のオブジェクトを記憶できるマスターデータベース（図示せず）を含むことができる。いくつかの実施形態では、マスターデータベースが、複数のオブジェクトの異なるバージョンを含むことができる。異なるバージョンは、異なるオブジェクトに関する異なる変化（例えば、視覚特性）を示すことができる。例えば、マスターデータベースは、異なるテレビ又は携帯電話機バージョンについて異なるオブジェクトタイプを記憶することができる。ある実施形態によれば、マスターデータベースは、複数のオブジェクトに関連する第２のタイムライン情報、オブジェクトタイプ又は異なるバージョンを含むことができる。第２のタイムライン情報は、複数のオブジェクト、オブジェクトタイプ又は異なるバージョンのそれぞれの発明、発見、使用、市場公開又は進化のタイミング情報を示すことができる。例えば、携帯電話機（又は特定のバージョン又はモデル）の第２のタイムライン情報は、その携帯電話機が発明された年、最初に市場公開された年、使用された年、又は進化した年を示すことができる。図６では、サーバ１０６のマスターデータベースが、第２のオブジェクト６０６（例えば、ハンドマイク）に関連する、又は検出された文字情報（例えば、「Ｔｏｐ  Ｃｈａｎｎｅｌ」）に関連する第２のタイムライン情報を記憶することができる。
【００７１】
ある実施形態によれば、サーバ１０６は、検出された第１のオブジェクト６０４及び第２のオブジェクト６０６のそれぞれの画像及びオブジェクトタイプ、並びに検出された文字情報を回路２０２から受け取るように構成することができる。サーバ１０６は、検出された第１のオブジェクト６０４及び第２のオブジェクト６０６のそれぞれのオブジェクトタイプ、並びに記憶されている複数のオブジェクトのそれぞれの記憶されているオブジェクトタイプに基づいて、検出された第１のオブジェクト６０４、第２のオブジェクト６０６及び検出された文字情報と、記憶されている複数のオブジェクト（又は異なるバージョン）とを比較するようにさらに構成することができる。サーバ１０６は、この比較に基づいて、識別されたオブジェクトのオブジェクトタイプが、受け取った第１のオブジェクト６０４（又は関連する文字情報を有する第２のオブジェクト６０６）のオブジェクトタイプと同様である場合、記憶されている複数のオブジェクトから１つのオブジェクトを識別するようにさらに構成することができる。サーバ１０６は、マスターデータベースから、識別されたオブジェクトの第２のタイムライン情報を検索するようにさらに構成することができる。
【００７２】
ある実施形態によれば、回路２０２は、識別されたオブジェクトの第２のタイムライン情報をサーバ１０６から受け取るようにさらに構成することができる。いくつかの実施形態では、メモリ２０６を、複数のオブジェクト（又は異なるバージョン）の画像と、関連するオブジェクトタイプと、関連する第２のタイムライン情報とを記憶するように構成することができる。回路２０２は、検出された第１のオブジェクト６０４、第２のオブジェクト６０６及び検出された文字情報と、記憶されている複数のオブジェクト（又は異なるバージョン）との、対応するオブジェクトタイプに基づく比較に基づいて、記憶されている複数のオブジェクトから１つのオブジェクトを識別するように構成することができる。回路２０２は、識別されたオブジェクトに関連する第２のタイムライン情報を検索するようにさらに構成することができる。
【００７３】
ある実施形態によれば、回路２０２は、第１のビデオコンテンツ１１２に関連する第１のタイムライン情報と、抽出された画像フレーム６０２内の検出された第１のオブジェクト６０４及び第２のオブジェクト６０６の各々に関連する第２のタイムライン情報とを比較するようにさらに構成することができる。回路２０２は、第１のタイムライン情報と、第１のオブジェクト６０４及び第２のオブジェクト６０６の各々の第２のタイムライン情報との間の偏差を特定するようにさらに構成することができる。例えば、第１のビデオコンテンツ１１２が時代（例えば、１９００年）に関連することが第１のタイムライン情報によって示され、その後（例えば、１９５０年）に「ハンドマイク」が使用されたことが第２のオブジェクト６０６の第２のタイムライン情報によって示された場合、回路２０２は、第１のビデオコンテンツ１１２の第１のタイムライン情報と第２のオブジェクト６０６の第２のタイムライン情報との間の偏差を画像フレーム６０２の事実誤認として識別することができる。別の例では、検出された文字情報に関連する第２のタイムライン情報によって「Ｔｏｐ  Ｃｈａｎｎｅｌ」が１９７０年に始動したことが示された場合、回路２０２は、第１のビデオコンテンツ１１２の第１のタイムライン情報と第２のオブジェクト６０６の第２のタイムライン情報との間の偏差を事実誤認として識別することができる。
【００７４】
ある実施形態によれば、回路２０２は、事実誤認が検出された第２のオブジェクト６０６に関連する通知情報を生成するようにさらに構成することができる。ある実施形態によれば、生成される通知情報は、画像フレーム６０２を含むフィルムシーンの識別子と、画像フレーム６０２を含むフィルムショットの識別情報と、第２のオブジェクト６０６の事実誤認の詳細とを含むことができる。ある実施形態によれば、回路２０２は、ユーザ１１０のディスプレイ画面上に生成される図４Ａに示すような通知情報を表示するように構成することができる。いくつかの実施形態では、回路２０２を、事実誤認が検出された第２のオブジェクト６０６上に（図４Ｂに示すような）グラフィックオーバレイを表示するようにディスプレイ画面１０４を制御するよう構成することができる。
【００７５】
ある実施形態によれば、回路２０２は、第１のビデオコンテンツ１１２の各フィルムショットの各画像フレームに含まれる各検出されたオブジェクトの事実誤認を検出するように構成することができる。回路２０２は、回路２０２が事実誤認を検出した対象である各オブジェクトについての通知情報を生成するようにさらに構成することができる。ユーザ１１０（例えば、編集者）は、生成された事実誤認に関する通知情報に基づいて、事実誤認が検出されたオブジェクトを除去することによってフィルムショットを撮り直すべきであるか、それとも第１のビデオコンテンツ１１２を視聴者に対して仕上げる前に既知の画像処理法を使用してオブジェクトを編集すべきであるかについての判断を行うことができる。従って、ビデオ編集装置１０２による事実誤認の検出は、第１のビデオコンテンツの全体的な品質及び（編集者としての）ユーザ１１０の信頼性を高めることができる。
【００７６】
図７に、本開示の実施形態による、図２のビデオ編集装置によるビデオコンテンツのフィルムショットにおける異なるオブジェクトの描写の重複通知制御のための第４の例示的なシナリオを示す。図７の説明は、図１、図２、図３、図４Ａ、図４Ｂ、図５及び図６の要素に関連して行う。図７には、第４のシナリオ７００を示す。
【００７７】
第４のシナリオ７００では、第１のビデオコンテンツ１１２の特定のフィルムショットの取り込み画像フレーム７０２を示す。画像フレーム７０２は、第１のオブジェクト７０４、第２のオブジェクト７０６及び第３のオブジェクト７０８を含むことができる。第１のオブジェクト７０４は、太陽としてのオブジェクトタイプに対応することができ、第２のオブジェクト７０６は、人間（例えば、有名人）としてのオブジェクトタイプに対応することができ、第３のオブジェクト７０８は、山としてのオブジェクトタイプに対応することができる。ある実施形態によれば、第１のオブジェクト７０４、第２のオブジェクト７０６及び第３のオブジェクト７０８のそれぞれの検出されたオブジェクトタイプを第１のメタデータとすることができる。いくつかの実施形態では、画像フレーム７０２が、検出された第１のオブジェクト７０４、第２のオブジェクト７０６及び第３のオブジェクト７０８に関連する詳細を第１のメタデータとして含むことができる。いくつかの実施形態では、回路２０２を、検出されたオブジェクトの分析に基づいて、これらの詳細を第１のメタデータとして決定するように構成することができる。これらの詳細の例としては、以下に限定するわけではないが、オブジェクトのサイズ、オブジェクトの寸法、オブジェクトのオブジェクトタイプ、画像フレーム７０２が取り込まれた地理位置情報、オブジェクトの姿勢、オブジェクトの配向、オブジェクトの色、オブジェクトの起伏、又はオブジェクトの形状を挙げることができる。いくつかの実施形態では、検出されたオブジェクトタイプが人間である場合、第１のメタデータがアーティスト情報（例えば、有名人又は人物の名前）を含むことができる。
【００７８】
ある実施形態によれば、フィルムショット又は画像フレーム７０２に関連する第１のメタデータをメモリ２０６に記憶することができる。ある実施形態によれば、回路２０２は、第１のビデオコンテンツ１１２の編集段階中にユーザ１１０からＩ／Ｏ装置２１０を介して第３のユーザ入力を受け取るように構成することができる。第３のユーザ入力は、第１のビデオコンテンツ１１２に対して重複チェックを実行する要求を含むことができる。ユーザ１１０（例えば、編集者）は、第１のビデオコンテンツ１１２に対して重複チェックを行って、第１のビデオコンテンツ１１２の取り込まれたフィルムショット又はフィルムショットの複数のオブジェクトが、既に公開されている他のいずれかのビデオコンテンツ（例えば、他の映画）に含まれていないかどうかを確認することができる。ビデオ編集装置１０２は、重複チェックに基づいて、取り込まれたフィルムショット及び含まれているオブジェクトの組（又は組み合わせ）が第１のビデオコンテンツ１１２に新たに導入されたものであることを保証することにより、第１のビデオコンテンツ１１２の信頼性及び人気をさらに高めることができる。
【００７９】
１つの実施形態によれば、回路２０２は、第３のユーザ入力を受け取ったことに応答して、画像フレーム７０２（又は画像フレーム７０２を含むフィルムシーン）に関連する記憶された第１のメタデータを検索するように構成することができる。いくつかの実施形態では、回路２０２を、画像フレーム７０２内の検出されたオブジェクトに関連する第１のメタデータを決定するように構成することができる。ある実施形態によれば、回路２０２は、サーバ１０６から第２のメタデータを検索するようにさらに構成することができる。第２のメタデータは、第２のビデオコンテンツの複数のフィルムショット（すなわち、第１のビデオコンテンツ１１２とは異なるフィルムショット）に関連することができる。例えば、第２のビデオコンテンツは、既に視聴者に公開されている以前の又は古い映画に対応することができる。いくつかの実施形態では、第２のビデオコンテンツが、第１のビデオコンテンツ１１２の取り込みを担当するコンテンツ又は映画制作会社（例えば、映画バナー）に対応することができる。
【００８０】
第２のメタデータは、第２のビデオコンテンツの複数のフィルムショットに関する情報を含むことができる。第２のビデオコンテンツに関する情報は、以下に限定するわけではないが、複数のフィルムショット内のオブジェクトに関する情報、複数のフィルムショットのアーティスト情報、又は複数のフィルムショットが取り込まれた地理位置情報を含むことができる。ある実施形態によれば、回路２０２は、第２のビデオコンテンツの複数のフィルムショットのそれぞれの第２のメタデータを検索するように構成することができる。回路２０２は、第１のメタデータ（すなわち、画像フレーム７０２を含むフィルムショットに関連する）と、第２のビデオコンテンツの複数のフィルムショットのそれぞれの第２のメタデータとを比較するように構成することができる。第１のメタデータが、第２のビデオコンテンツの複数のフィルムショットのうちの１つのフィルムショットの第２のメタデータに一致する場合、回路２０２は、第１のビデオコンテンツ１１２の取り込まれたフィルムショット（或いは第１のオブジェクト７０４、第２のオブジェクト７０６、第３のオブジェクト７０８、又はこれらの組み合わせ）が第２のビデオコンテンツ（例えば、古い映画）内に存在し、又は既に取り込まれた／使用されたものであると判定することができる。このことは、第１のビデオコンテンツ１１２と第２のビデオコンテンツとの間におけるフィルムショット（又は第１のオブジェクト７０４、第２のオブジェクト７０６、第３のオブジェクト７０８、又はこれらの組み合わせ）の重複を示す。
【００８１】
ある実施形態によれば、回路２０２は、重複の識別に基づいてユーザのための通知情報を生成するよう構成することができる。いくつかの実施形態では、生成された通知情報が、第１のビデオコンテンツ１１２のフィルムシーン又はフィルムショットの第２のビデオコンテンツにおける複製を示すことができるエラーメッセージを示すことができる。回路２０２は、重複チェックに基づいて生成された通知情報を表示するようにディスプレイ画面１０４を制御するようさらに構成することができる。ある実施形態によれば、通知情報は、第２のビデオコンテンツと比べて重複していることが判明したフィルムシーンの識別子、フィルムショットの識別情報及びオブジェクトの詳細を含むことができる。
【００８２】
ある実施形態によれば、回路２０２は、第１のビデオコンテンツ１１２の複数のフィルムショットのそれぞれの重複チェックを行うように構成することができる。いくつかの実施形態では、回路２０２を、サーバ１０６に記憶されている複数のビデオ又は映画に関連する第２のメタデータを検索して重複チェックを行うように構成することができる。従って、ビデオ編集装置１０２は、重複チェック機能を使用して、重複ショット（又はショット内の同じオブジェクトの組み合わせ）に関する自動アラートをユーザ１１０に提供することができる。ユーザ１１０は、自動アラートに基づいて、第１のビデオコンテンツ１１２を仕上げる前に適切な措置（すなわち、ショットを撮り直すべきであるか、それとも重複オブジェクトを編集すべきであるか）を取ることができる。これにより、第１のビデオコンテンツ１１２に新規性がもたらされ、以前のビデオコンテンツからの同様のシーン又はショットを組み込むことが防がれる。従って、視聴者間における第１のビデオコンテンツ１１２の人気を高めることができる。
【００８３】
図８Ａ及び図８Ｂは、本開示の実施形態による、ビデオコンテンツのフィルムショットにおける異なるオブジェクトの描写の偏差通知制御のための例示的な動作を示すフローチャートである。図８Ａ及び図８Ｂの説明は、図１、図２、図３、図４Ａ、図４Ｂ、図５、図６及び図７の要素に関連して行う。図８Ａ及び図８Ｂにはフローチャート８００を示す。８０２〜８４８の動作は、ビデオ編集装置１０２において実行することができる。これらの動作は、８０２から開始して８０４に進む。
【００８４】
８０４において、それぞれが一連の画像フレームを含むことができる複数のフィルムショットをそれぞれが含むことができる、フィルムシーケンスのフィルムシーンの組１１４Ａ〜１１４Ｂを含むことができる第１のビデオコンテンツ１１２を記憶することができる。ある実施形態によれば、メモリ２０６を、フィルムシーケンスのフィルムシーンの組１１４Ａ〜１１４Ｂを含むことができる第１のビデオコンテンツ１１２を記憶するように構成することができる。ある実施形態によれば、ビデオ編集装置１０２を、メモリ２０６から第１のビデオコンテンツ１１２を検索するように構成することができる。いくつかの実施形態では、ビデオ編集装置１０２を、サーバ１０６から第１のビデオコンテンツ１１２を検索するように構成することができる。
【００８５】
８０６において、複数のフィルムショットのうちの第１のフィルムショット１１６Ａの第１の画像フレーム１２２と、複数のフィルムショットのうちの第２のフィルムショット１１６Ｂの第２の画像フレーム１２４とを抽出することができる。ある実施形態によれば、回路２０２を、複数のフィルムショットのうちの第１のフィルムショット１１６Ａの第１の画像フレーム１２２と、複数のフィルムショットのうちの第２のフィルムショット１１６Ｂの第２の画像フレーム１２４とを抽出するように構成することができる。第１の画像フレーム１２２は、第１のフィルムショット１１６Ａの最後のフレームとすることができ、第２の画像フレームは、第２のフィルムショット１１６Ｂの最初のフレームとすることができる。
【００８６】
８０８において、第１のフィルムショット１１６Ａの抽出された第１の画像フレーム１２２から第１のオブジェクトの組を検出することができ、第２のフィルムショット１１６Ｂの抽出された第２の画像フレーム１２４から第２のオブジェクトの組を検出することができる。オブジェクト検出器２０４は、第１のフィルムショット１１６Ａの抽出された第１の画像フレーム１２２から第１のオブジェクトの組を検出し、第２のフィルムショット１１６Ｂの抽出された第２の画像フレーム１２４から第２のオブジェクトの組を検出するように構成することができる。
【００８７】
８１０において、第１のオブジェクトの組及び第２のオブジェクトの組の各々から、同じオブジェクトタイプに基づく第１のオブジェクトを識別することができる。ある実施形態によれば、オブジェクト検出器２０４を、第１のオブジェクトの組及び第２のオブジェクトの組の各々から、同じオブジェクトタイプに基づく第１のオブジェクトを識別するように構成することができる。
【００８８】
８１２において、第１の画像フレーム１２２からの第１の角度情報と、第２の画像フレーム１２４からの第２の角度情報とを検索することができる。ある実施形態によれば、回路２０２を、第１の画像フレーム１２２からの第１の角度情報と、第２の画像フレーム１２４からの第２の角度情報とを検索するように構成することができる。
【００８９】
８１４において、検索された第１の角度情報に基づいて、第１の画像フレーム１２２内の第１のオブジェクトの第１の３次元（３Ｄ）画像を生成することができる。ある実施形態によれば、回路２０２を、検索された第１の角度情報に基づいて、第１の画像フレーム１２２内の第１のオブジェクトの第１の３Ｄ画像を生成するように構成することができる。第１の画像フレーム１２２内の第１のオブジェクトの第１の３Ｄ画像の生成は、例えば図５で詳細に説明したものとすることができる。
【００９０】
８１６において、検索された第２の角度情報に基づいて、第２の画像フレーム１２４内の第１のオブジェクトの第２の３Ｄ画像を生成することができる。ある実施形態によれば、回路２０２を、検索された第２の角度情報に基づいて、第２の画像フレーム１２４内の第１のオブジェクトの第２の３Ｄ画像を生成するように構成することができる。第２の画像フレーム１２４内の第１のオブジェクトの第２の３Ｄ画像の生成は、例えば図５で詳細に説明したものとすることができる。
【００９１】
８１８において、第１のオブジェクトの生成された第１の３Ｄ画像の第１の視覚属性と、第１のオブジェクトの生成された第２の３Ｄ画像の第２の視覚属性との間の偏差を検出することができる。ある実施形態によれば、ビデオ編集装置１０２を、第１のオブジェクトの生成された第１の３Ｄ画像の第１の視覚属性と、第１のオブジェクトの生成された第２の３Ｄ画像の第２の視覚属性との間の偏差を検出するように構成することができる。第１の視覚属性及び第２の視覚属性は同じタイプのものとすることができる。第１の視覚属性及び第２の視覚属性の例としては、以下に限定するわけではないが、形状、サイズ、寸法、色、輝度値、コントラスト値、起伏、配向、傾斜角、姿勢、又は文字情報を挙げることができる。
【００９２】
８２０において、検出された偏差に基づいて、第１のオブジェクトに関連する通知情報を生成することができる。回路２０２は、検出された偏差に基づいて、第１のオブジェクトに関連する通知情報を生成するように構成することができる。
【００９３】
８２２において、ディスプレイ画面１０４を、第１の画像フレーム１２２及び第２の画像フレーム１２４内の第１のオブジェクトに関連する生成された通知情報を出力するように制御することができる。回路２０２は、第１の画像フレーム１２２及び第２の画像フレーム１２４内の第１のオブジェクトに関連する生成された通知情報を出力するようにディスプレイ画面１０４を制御するよう構成することができる。
【００９４】
８２４において、検出された第２のオブジェクトの組において、検出された第１のオブジェクトの組のうちの１つのオブジェクトが失われているかどうかを検出することができる。回路２０２は、検出された第２のオブジェクトの組において、検出された第１のオブジェクトの組のうちの１つのオブジェクトが失われているかどうかを検出するように構成することができる。
【００９５】
８２６において、検出された第２のオブジェクトの組において失われたオブジェクトに関連する通知情報を生成して出力することができる。回路２０２は、検出された第２のオブジェクトの組において失われたオブジェクトに関連する通知情報を生成して出力するように構成することができる。
【００９６】
８２８において、第１のビデオコンテンツ１１２に関連する時代を示す第１のタイムライン情報を検索することができる。回路２０２は、第１のビデオコンテンツ１１２に関連する時代を示す第１のタイムライン情報を検索するように構成することができる。第１のタイムライン情報は、例えば図６で詳細に説明したものとすることができる。いくつかの実施形態では、回路２０２を、ユーザ１１０からＩ／Ｏ装置２１０を介して第１のタイムライン情報を受け取るように構成することができる。第１のタイムライン情報は、ユーザ１１０から受け取られる第２のユーザ入力に含めることができる。
【００９７】
８３０において、複数のオブジェクトから、第１のオブジェクトのオブジェクトタイプと同じオブジェクトタイプを有する第２のオブジェクトを識別することができる。回路２０２は、サーバ１０６に記憶されている複数のオブジェクトから第２のオブジェクトを識別するように構成することができる。サーバ１０６に記憶されている複数のオブジェクトからの第２のオブジェクトの識別は、例えば図６で詳細に説明したものとすることができる。
【００９８】
８３２において、識別された第２のオブジェクトの第２のタイムライン情報を検索することができる。回路２０２は、例えば図６で詳細に説明したように、識別された第２のオブジェクトの第２のタイムライン情報をサーバ１０６から検索するように構成することができる。
【００９９】
８３４において、第１のビデオコンテンツ１１２の検索された第１のタイムライン情報と、識別された第２のオブジェクトの検索された第２のタイムライン情報とを比較することができる。回路２０２は、例えば図６で詳細に説明したように、第１のビデオコンテンツ１１２の検索された第１のタイムライン情報と、識別された第２のオブジェクトの検索された第２のタイムライン情報とを比較するように構成することができる。
【０１００】
８３６において、比較に基づいて、第１のオブジェクトに関連する通知情報を生成して出力することができる。回路２０２は、例えば図６で詳細に説明したように、比較に基づいて第１のオブジェクトに関連する通知情報を生成して出力するように構成することができる。
【０１０１】
８３８において、第１のビデオコンテンツ１１２の複数のフィルムショットの各々に関連する第１のメタデータを検索することができる。回路２０２は、第１のビデオコンテンツ１１２の複数のフィルムショットの各々に関連する第１のメタデータを検索するように構成することができる。いくつかの実施形態では、回路２０２を、検出されたオブジェクトの分析に基づいて、検出されたオブジェクトに関連する詳細を第１のメタデータとして決定するように構成することができる。これらの詳細の例としては、以下に限定するわけではないが、オブジェクトのサイズ、オブジェクトの寸法、オブジェクトのオブジェクトタイプ、画像フレーム７０２が取り込まれた地理位置情報、オブジェクトの姿勢、オブジェクトの配向、オブジェクトの色、オブジェクトの起伏、又はオブジェクトの形状を挙げることができる。いくつかの実施形態では、検出されたオブジェクトタイプが人間である場合、第１のメタデータがアーティスト情報（例えば、有名人又は人物の名前）を含むことができる。第１のビデオコンテンツ１１２の複数のフィルムショットの各々に関連する第１のメタデータは、例えば図７で詳細に説明したものとすることができる。
【０１０２】
８４０において、第２のビデオコンテンツの複数のフィルムショットの各々に関連する第２のメタデータを検索することができる。回路２０２は、例えば図７で詳細に説明したように、第２のビデオコンテンツの複数のフィルムショットの各々に関連する第２のメタデータを検索するように構成することができる。第２のメタデータは、第２のビデオコンテンツの複数のフィルムショットに関連する情報を含むことができる。第２のビデオコンテンツに関する情報は、以下に限定するわけではないが、複数のフィルムショット内のオブジェクトに関する情報、複数のフィルムショットのアーティスト情報、又は複数のフィルムショットが取り込まれた地理位置情報を含むことができる。
【０１０３】
８４２において、第１のビデオコンテンツ１１２に関連する第１のメタデータを第２のビデオコンテンツに関連する第２のメタデータと比較することができる。回路２０２は、第１のビデオコンテンツ１１２に関連する第１のメタデータを第２のビデオコンテンツに関連する第２のメタデータと比較するように構成することができる。
【０１０４】
８４４において、比較に基づいて通知情報を生成することができる。回路２０２は、第１のビデオコンテンツ１１２に関連する第１のメタデータと、第２のビデオコンテンツに関連する第２のメタデータとの比較に基づいて、通知情報を生成するように構成することができる。
【０１０５】
８４６において、ディスプレイ画面１０４を、第１のビデオコンテンツ１１２の第１のメタデータに関連する生成された通知情報を出力するように制御することができる。回路２０２は、第１のビデオコンテンツ１１２の第１のメタデータに関連する生成された通知情報を出力するようにディスプレイ画面１０４を制御するよう構成することができる。制御は、８４８に進んで終了する。
【０１０６】
本開示の例示的な態様は、（図１の第１のビデオコンテンツ１１２などの）第１のビデオコンテンツを記憶するように構成された（図２のメモリ２０６などの）メモリを含む（図１のビデオ編集装置１０２などの）ビデオ編集装置を含むことができる。第１のビデオコンテンツ１１２は、フィルムシーケンスの（図１のフィルムシーンの組１１４Ａ〜１１４Ｂなどの）一連のフィルムシーンを含むことができる。フィルムシーンの組１１４Ａ〜１１４Ｂの各々は、複数のフィルムショットを含むことができ、複数のフィルムショットの各々は、（図１の一連の画像フレーム１１８及び一連の画像フレーム１２０などの）一連の画像フレームを含むことができる。ビデオ編集装置１０２は、複数のフィルムショットのうちの（図１の第１のフィルムショット１１６Ａなどの）第１のフィルムショットの（図１の第１の画像フレーム１２２などの）第１の画像フレームを抽出するように構成された（図２の回路２０２などの）回路をさらに含むことができる。回路２０２は、複数のショットのうちの（図１の第２のフィルムショット１１６Ｂなどの）第２のフィルムショットの（図１の第２の画像フレーム１２４などの）第２の画像フレームを抽出するようにさらに構成することができる。
【０１０７】
ある実施形態によれば、回路２０２は、第１のフィルムショット１１６Ａの抽出された第１の画像フレーム１２２から第１のオブジェクトの組を検出し、第２のフィルムショット１１６Ｂの抽出された第２の画像フレーム１２４から第２のオブジェクトの組を検出するように構成することができる。回路２０２は、第１のオブジェクトの組及び第２のオブジェクトの組の各々から、同じオブジェクトタイプに基づく第１のオブジェクトを識別するようにさらに構成することができる。第１のオブジェクトの組及び第２のオブジェクトの組における第１のオブジェクトのオブジェクトタイプは同じである。回路２０２は、第１の画像フレーム１２２内の第１のオブジェクトの少なくとも１つの第１の視覚属性と、第２の画像フレーム１２４内の第１のオブジェクトの少なくとも１つの第２の視覚属性との間の偏差に基づいて、第１のオブジェクトに関連する通知情報を生成するようにさらに構成することができる。第１の視覚属性及び第２の視覚属性は、同じタイプのものとすることができる。回路２０２は、第１の画像フレーム１２２及び第２の画像フレーム１２４内の第１のオブジェクトに関連する生成された通知情報を出力するように（図１のディスプレイ画面１０４などの）ディスプレイ画面を制御するようさらに構成することができる。
【０１０８】
ある実施形態によれば、第１のフィルムショット１１６Ａ及び第２のフィルムショット１１６Ｂは、第１のビデオコンテンツ１１２の一連のフィルムシーンのうちの（図１の第１のフィルムシーン１１４Ａなどの）第１のフィルムシーンの連続ショットとすることができる。第１の画像フレーム１２２は、第１のフィルムショット１１６Ａの一連の画像フレームの中の最後のフレームとすることができ、第２の画像フレーム１２４は、第２のフィルムショット１１６Ｂの一連の画像フレームの中の最初のフレームとすることができる。ある実施形態によれば、第１のフィルムショット１１６Ａ及び第２のフィルムショット１１６Ｂは、第１のビデオコンテンツ１１２の一連のフィルムシーンのうちの第１のフィルムシーン１１４Ａに対応する。
【０１０９】
ある実施形態によれば、第１のフィルムショット１１６Ａ及び第２のフィルムショット１１６Ｂは、第１のビデオコンテンツ１１２の一連のフィルムシーンのうちの、同じ状況に対応し得る異なるフィルムシーンに対応することができる。
【０１１０】
ある実施形態によれば、少なくとも１つの第１の視覚属性及び少なくとも１つの第２の視覚属性は、第１のオブジェクトの形状、サイズ、寸法、色、輝度値、コントラスト値、起伏、配向、傾斜角、姿勢、又は文字情報のうちの少なくとも１つを含むことができる。
【０１１１】
ある実施形態によれば、第１のフィルムショット１１６Ａは、第１の角度情報を含むことができ、第２のフィルムショット１１６Ｂは、第２の角度情報を含むことができる。回路２０２は、第１の角度情報に基づいて、第１のフィルムショット１１６Ａの抽出された第１の画像フレーム１２２内の第１のオブジェクトの第１の３次元（３Ｄ）画像を生成するようにさらに構成することができる。回路２０２は、第２の角度情報に基づいて、第２のフィルムショット１１６Ｂの抽出された第２の画像フレーム１２４内の第１のオブジェクトの第２の３Ｄ画像を生成するようにさらに構成することができる。回路２０２は、決定された第１の３Ｄ画像と決定された第２の３Ｄ画像との差分に基づいて通知情報を生成するようにさらに構成することができる。
【０１１２】
ある実施形態によれば、第１のビデオコンテンツ１１２は、第１のビデオコンテンツ１１２に関連する時代を示す第１のタイムライン情報を含むことができる。回路２０２は、抽出された第１の画像フレーム１１２内の第１のオブジェクトのオブジェクトタイプと、（サーバ１０６などの）サーバ上のマスターデータベース内の複数のオブジェクトのオブジェクトタイプとに基づいて、第１のオブジェクトをマスターデータベース内の複数のオブジェクトと比較するようにさらに構成することができる。回路２０２は、比較に基づいて、マスターデータベース内の複数のオブジェクトのうちの１つのオブジェクトに関連する第２のタイムライン情報を検索するようにさらに構成することができる。第２のタイムライン情報は、オブジェクトの発明、発見、使用、市場公開又は進化のタイミング情報を示すことができる。回路２０２は、第１のタイムライン情報を検索された第２のタイムライン情報と比較し、第１のタイムライン情報と検索された第２のタイムライン情報との比較に基づいて、第１のオブジェクトに関連する通知情報を生成するようにさらに構成することができる。
【０１１３】
ある実施形態によれば、通知情報は、抽出された第２の画像フレーム１２４内の第１のオブジェクトの描写の制作エラーを示すことができる第１のエラーメッセージを含むことができる。
【０１１４】
ある実施形態によれば、回路２０２は、第１の画像フレーム１２２内の第１のオブジェクトの第１の位置と、第２の画像フレーム１２４内の第１のオブジェクトの第２の位置とを特定するようにさらに構成することができる。回路２０２は、第１のオブジェクトを含むことができる第１のフィルムシーン１１４Ａの状況に基づく、第１の位置と第２の位置との間の位置偏差に基づいて、通知情報を生成するようにさらに構成することができる。
【０１１５】
ある実施形態によれば、回路２０２は、検出された第１のオブジェクトの組における第１のオブジェクトが、抽出された第２の画像フレーム１２４の検出された第２のオブジェクトの組に存在しないかどうかを判定するようにさらに構成することができる。回路２０２は、抽出された第２の画像フレーム１２４の検出された第２のオブジェクトの組に第１のオブジェクトが存在しないとの判定に基づいて、通知情報を第２のエラーメッセージとして生成するようにさらに構成することができる。
【０１１６】
ある実施形態によれば、通知情報は、第１のオブジェクトに関連するオブジェクトタイプ、第１のフィルムショットの識別情報、又は第１のオブジェクトを含むことができる第１のフィルムシーン１１４Ａの識別子のうちの少なくとも１つを含むことができる。ある実施形態によれば、回路２０２は、通知情報をメタデータとして第１のビデオコンテンツ１１２に追加するようにさらに構成することができる。
【０１１７】
ある実施形態によれば、回路２０２は、検出された第１のオブジェクトの組及び第２のオブジェクトの組に関連する第１のメタデータを決定するようにさらに構成することができる。第１のメタデータは、複数のフィルムショットの各々が取り込まれた地理位置情報、アーティスト情報、又は検出された第１のオブジェクトの組に関する情報、及び検出された第２のオブジェクトの組を示すことができる情報を含むことができる。ある実施形態によれば、回路２０２は、サーバ１０６から第２のビデオコンテンツに関する複数のフィルムショットに関連する第２のメタデータを検索するようにさらに構成することができる。回路２０２は、第１のビデオコンテンツ１１２の第１のメタデータと第２のビデオコンテンツの第２のメタデータとを比較するようにさらに構成することができる。回路２０２は、比較に基づいて通知情報を生成するようにさらに構成することができる。通知情報は、第１のビデオコンテンツ１１２のフィルムシーン又はフィルムショットの第２のビデオコンテンツにおける複製を示すことができる第３のエラーメッセージを含むことができる。
【０１１８】
本開示の様々な実施形態は、ビデオコンテンツの連続性チェックのための機械及び／又はコンピュータによって実行可能な少なくとも１つのコードセクションを有する機械コード及び／又はコンピュータプログラムを記憶した非一時的コンピュータ可読媒体及び／又は記憶媒体、及び／又は非一時的機械可読媒体及び／又は記憶媒体を提供することができる。この少なくとも１つのコードセクションは、それぞれが一連の画像フレームを含む複数のフィルムショットをそれぞれが含むフィルムシーケンスの一連のフィルムシーンを含む第１のビデオコンテンツを記憶することを含むステップを機械及び／又はコンピュータに実行させることができる。さらに、複数のフィルムショットのうちの第１のフィルムショットの第１の画像フレームと、複数のフィルムショットのうちの第２のフィルムショットの第２の画像フレームとを抽出することができる。抽出された第１の画像フレームから第１のオブジェクトの組を検出し、抽出された第２の画像フレームから第２のオブジェクトの組を検出することができる。第１のオブジェクトの組及び第２のオブジェクトの組の各々から、同じオブジェクトタイプに基づく第１のオブジェクトを識別することができる。第１のオブジェクトの組及び第２のオブジェクトの組における第１のオブジェクトのオブジェクトタイプは同じものとすることができる。第１の画像フレーム内の第１のオブジェクトの少なくとも１つの第１の視覚属性と、第２の画像フレーム内の第１のオブジェクトの第１の視覚属性と同じタイプの少なくとも１つの第２の視覚属性との間の偏差に基づいて、第１のオブジェクトに関連する通知情報を生成することができる。第１の画像フレーム及び第２の画像フレーム内の第１のオブジェクトに関連する生成された通知情報を出力するようにディスプレイ画面を制御することができる。
【０１１９】
本開示は、ハードウェアで実現することも、又はハードウェアとソフトウェアの組み合わせで実現することもできる。本開示は、少なくとも１つのコンピュータシステム内で集中方式で実現することも、又は異なる要素を複数の相互接続されたコンピュータシステムにわたって分散できる分散方式で実現することもできる。本明細書で説明した方法を実行するように適合されたコンピュータシステム又はその他の装置が適することができる。ハードウェアとソフトウェアの組み合わせは、ロードされて実行された時に本明細書で説明した方法を実行するようにコンピュータシステムを制御することができるコンピュータプログラムを含む汎用コンピュータシステムとすることができる。本開示は、他の機能を実行する集積回路の一部分を含むハードウェアで具現化することができる。
【０１２０】
本開示は、本明細書で説明した方法の実装を可能にする全ての特徴を含み、コンピュータシステムにロードされた時にこれらの方法を実行できるコンピュータプログラム製品に組み込むこともできる。本文脈におけるコンピュータプログラムとは、情報処理能力を有するシステムに、特定の機能を直接的に、或いはａ）別の言語、コード又は表記法への変換、ｂ）異なる内容形態での複製、のいずれか又は両方を行った後に実行させるように意図された命令セットの、あらゆる言語、コード又は表記法におけるあらゆる表現を意味する。
【０１２１】
いくつかの実施形態を参照しながら本開示を説明したが、当業者であれば、本開示の範囲から逸脱することなく様々な変更を行うことができ、同等物を代用することもできると理解するであろう。また、本開示の範囲から逸脱することなく、特定の状況又は内容を本開示の教示に適合させるように多くの修正を行うこともできる。従って、本開示は、開示した特定の実施形態に限定されるものではなく、添付の特許請求の範囲に該当する全ての実施形態を含むように意図されている。
【図１】
2020088852.tif 000003
【図２】
2020088852.tif 000004
【図３】
2020088852.tif 000005
【図４Ａ】
2020088852.tif 000006
【図４Ｂ】
2020088852.tif 000007
【図５】
2020088852.tif 000008
【図６】
2020088852.tif 000009
【図７】
2020088852.tif 000010
【図８Ａ】
2020088852.tif 000011
【図８Ｂ】
2020088852.tif 000012
【外国語明細書】
2020088852000001.pdf